(57)【要約】【課題】椅子、寝具等に使用する支持エレメントの改良【解決の手段】トッププレート（２）と、外観が円錐形で螺旋状に形成されたスプリングエレメント（３）と、を備えた支持エレメントであって、前記トッププレート（２）およびスプリングエレメント（３）はプラスチックより成り、前記スプリングエレメント（３）は複数個の螺旋体を有することを特徴とする、支持エレメント。【選択図】図１
2007511263.tif 000002
【特許請求の範囲】
【請求項１】
トッププレート（２）と、外観が円錐形で螺旋状に形成されたスプリングエレメント（３）と、を備えた支持エレメントであって、
前記トッププレート（２）およびスプリングエレメント（３）はプラスチックより成り、
前記スプリングエレメント（３）は複数個の螺旋体を有することを特徴とする、支持エレメント。
【請求項２】
前記スプリングエレメントを、交換可能に前記トッププレート（２）に装着することを特徴とする、請求項１に記載した支持エレメント。
【請求項３】
前記スプリングエレメント（３）をキャリアプレート（１６）に固定する目的で、接続エレメント（４）を、前記トッププレート（２）と反対側の前記スプリングエレメント（３）に装着することを特徴とする、請求項１または２に記載した支持エレメント。
【請求項４】
請求項１乃至３の何れか１項に記載した前記支持エレメント（１）に接続するキャリアプレート（１６）であって、
前記キャリアプレート（１６）はプラスチックから成り、前記支持エレメント(１)に接続するため、前記支持エレメント（１）の接続エレメント(４)に対応して形成されたレセプタクル（１７）を備えることを特徴とする、キャリアプレート。
【請求項５】
少なくとも２つの渦巻状、および／又は螺旋状のストリップエレメントを備え、射出成型部品として形成したプラスチックより成る、スプリングエレメントであって、
前記ストリップエレメントは、外力が与えられた際、弾力作用（スプリング効果）で反応し、かつ、前記ストリップエレメントの幾何学的形状および／又は材料を適切に選択することにより、該ストリップエレメントのスプリング効果が前もって決定されていることを特徴とする、スプリングエレメント。
【請求項６】
スプリングアーム（２１）、基礎部分（２０）および前記基礎部分（２０）の高さ方向(２７)の反対側に位置する上側部分（１９）から成る、２つの渦巻状あるいは螺旋状に形成したストリップエレメントを備えた、スプリングエレメントであって、
前記、基礎部分（２０）、上側部分（１９）およびスプリングアーム（２１）は、
何れも、射出成型部品として形成したプラスチックより形成されることを特徴とする、スプリングエレメント。
【請求項７】
前記上側部分（１９）は、前記基礎部分（２０）に面した底側（２８）に補強リブ（２５）を備えることを特徴とする、請求項６に記載したスプリングエレメント。
【請求項８】
前記上側部分(１９)より立ち上がる前記スプリングアームによって形成されたスプリング本体（２２）が、円錐形のテーパー状外観を有することを特徴とする、請求項７に記載したスプリングエレメント。
【請求項９】
請求項６乃至８の何れか１項に記載したスプリングエレメント（１８）と該スプリングエレメントの上側部分（１９）に装着されたトッププレートとから成る、スプリングモジュール。
【請求項１０】
マットレス、パッド等の、少なくとも平面的に広がった設備に用いられ、複数個順序よく配置して共通の支持表面（６４）を形成する受けエレメント(３８)であって、
前記受けエレメントを皿型のプレート状に形成し、
前記受けエレメントはキャリアエレメント（４６）に取り外し可能に装着する手段を有することを特徴とする、受けエレメント。
【請求項１１】
前記受けエレメントは、一体に成型したプラスチックから成ることを特徴とする、請求項１０に記載した受けエレメント。
【請求項１２】
前記受けエレメントは、一方に円形部分（３９）を、他方に該円形部分（３９）に装着した表面部分（４０）を備えたことを特徴とする、請求項１０または１１に記載した受けエレメント。
【請求項１３】
前記表面部分（４０）はマットレス、パッド等に面する側にリブ（４２）を有することを特徴とする、請求項１０乃至１２の何れか１項に記載した受けエレメント。
【請求項１４】
プラグ状部分(６７)を備え、基盤（７８）上に機能エレメント（７９)を装着するためのコネクタ（６６）であって、
前記プラグ状部分（６７）を基盤（７８）の凹部（８２）に対応して形成し、該凹部（８２）に挿入できるようにし、
これにより、プラグ状部分（６７）は、機能エレメント(７９)に装着された接続エレメント（８０）に適合する凹部（７１）を備えることを特徴とする、コネクタ。
【請求項１５】
前記プラグ状部分（６７）はその外円側に、外方向へ放射状に伸張する補強リブを備えたことを特徴とする、請求項１４に記載したコネクタ。
【請求項１６】
前記プラグ状部分（６７）はその一方の端にカラー(６８)を備え、コネクタ(６６)を装着する際、該カラー(６８)を基盤(７８)の上側に載せることを特徴とする、請求項１４または１５に記載したコネクタ。
【請求項１７】
前記カラー（６８）はシーリングリップを備えていることを特徴とする、請求項１６に記載したコネクタ。
【請求項１８】
前記カラー（６８）は、基盤（７８）に面する底側に、シーリングひだ(７０)を備えていることを特徴とする、請求項１６または１７に記載したコネクタ。
【請求項１９】
緩衝材（パッディング)、椅子（シッティング）および／又は、寝具（ライイング)等の家具に用いるパッド設備に利用され、互いに隣接して配置された複数個の支持エレメント（８４）を備えた、デバイスであって、
前記各支持エレメント（８４）は、スプリングエレメント（８５）と、それに装着したパッドレセプタクルから成り、
前記スプリングエレメント（８５）は複数の螺旋体を含む設計から成り、少なくとも２つの渦巻状および／又は、螺旋状に形成したスプリングアーム（８７）を備え、さらに、前記スプリングエレメント（８５）はプラスチックより成ることを特徴とする、デバイス。
【請求項２０】
前記パッドレセプタクル（８６）はプラスチックから成ることを特徴とする、請求項１９に記載したデバイス。
【請求項２１】
前記パッドレセプタクル（８６）を、多角形に形成したことを特徴とする、請求項１９または２０に記載したデバイス。
【請求項２２】
前記パッドレセプタクル（８６）を、５角形に形成したことを特徴とする、請求項１９または２０に記載したデバイス。
【請求項２３】
前記パッドレセプタクル（８６）を、６角形に形成したことを特徴とする、請求項１９または２０に記載したデバイス。
【発明の詳細な説明】
【技術分野】
【０００１】
この発明は、トッププレートと、その上に装着され、外観が円錐形の螺旋状に形成したスプリングエレメントより成る、支持エレメント(サポートエレメント)に関するものである。
さらに、本発明は、スプリングエレメント、トッププレートおよびファンクショナルエレメント、特に、支持エレメントを基盤に装着するコネクタに係るものである。
上記の支持エレメントは既に公知である。たとえば、該エレメントは、マットレスやパッド等の設備に弾力性を与える。すなわち該エレメントのトッププレートを、マットレス側に配置することにより、該トッププレートでマットレスを支えマットレスやパッドに弾力性を与えることができる。
マットレスから離れたトッププレート側には、それに装着さられたスプリングエレメントが配置され、該スプリングエレメントは、支持フレームに抗してトッププレート自体を支える。
上記支持エレメントは、例えば、ＥＰパテント（ＥＰ０９９６３４９ＢＬ）により公知である。ここに述べられている支持エレメントは、射出成型部品として形成され、スプリングエレメントと一体に形成された支持皿（サポートディシュ)を備えている。スプリングエレメントは板ばね（リーフスプリング）として形成され、基本体から立ち上がり前記支持皿に接続される支持アームを備え、見かけ上、基本体から直接立上がっているように見える、該アームは、対称的に１２０度〜９０度の回転角で、基本体に取り付けられている。
【解決しようとする課題】
【０００２】
個々の支持アームの不本意なスプリングの偏りを防ぐため、各支持アームは同一のスプリング定数を持つ。
前記ＥＰ０９９６３４９ＢＬで開示された支持エレメントは、複雑な構造のため、残念ながら製造コストが高い。さらに、前記支持皿にかかる負荷が一定でないため、個々の支持アームが過負荷となり、それが引き金となって、支持エレメント全体が好ましくない機能障害を起こす場合があった。
螺旋状に形成されたスプリングエレメントを備える支持エレメントは、例えば、ＤＥ６７７６５ＣおよびＤＥ１０４４４７Ｃに記載されているように公知である。        
ここに述べられている支持エレメントに用いられるスプリングエレメントは、１本の弾性スプリングから成り、鋼で構成されている。このスプリングエレメントの欠点は、次のことである。すなわち、力が中心にかからないとき、スプリングエレメントは、悪いことに、所定位置を外れ、先端が横に振れる。さらに、時間と共に、弾性体の心地よさが損なわれるという欠点があった。
【発明の開示】
【課題を解決するための手段】
【０００３】
上述した従来の技術に鑑み、本発明の第１の目的は、前述した欠点を取り除いた支持エレメントを創造することにあり、一方、シンプルで製造コストが安く、信頼性が要求される用途に適用でき、また、長期間の使用に耐える支持エレメントを提供することにある。さらに、本発明の主たる目的は、スプリングエレメント、トッププレート、コネクタを提案することにある。
【０００４】
支持エレメントに関するこのような課題は、次のようにして解決できる。すなわち、トッププレートおよびスプリングエレメントをプラスチックで構成し、スプリングエレメントは複数の螺旋体を備えた構成とする。
従来技術の支持エレメントと比較して、本発明に係る、支持エレメントは、トッププレートに取り付けられたスプリングエレメントを備え、該スプリングエレメントは螺旋状に形成されると共に、その断面積に応じたテーパーが付けられ、それにより、該テーパーはトッププレートからスタートして、支持面から離れた端部にかけて円錐形の広がりを持つことを特徴とする。
製造コストは、これにより最小に押えられる。さらに、有益なことは、この構造により、支持エレメントに偏った力がかかるような極端なアプリケーションでも安全に対抗できることである。
【０００５】
本発明に係る、支持エレメントは、それ故、ベッド、マットレスのような基盤に適している例えば、病気など、長期の連続使用または、介護エリアでの使用に適している。そのような場所で、従来の板ばねで構造では、不幸にも、たまに起きていた、ベッド側での機能的欠陥が、本発明では改良されたのである。
さらに、本発明に係る、機能エレメントは、従来のものに比べて、洗浄が大変容易であり、これは病棟および／又は、介護エリアで使用するとき、大きな利点となる。
本発明に係るスプリングエレメントは、複数の、例えば、２〜４個の螺旋体を備える設計であってもよい。前記スプリングエレメントが複数の螺旋体を備えることにより、前記支持エレメント全体としての寸法安定性が向上する。
さらに全てのスプリングエレメントの螺旋体は、単に１つのレセプタクルのみにより、支持エレメントのトッププレートを装着することが望ましい。
その理由は、不規則な偏った力、すなわち、トッププレートに１方向からのみ、力がかかるようなアプリケーションであっても、該力が前記スプリングエレメントの全ての螺旋体に分散してかかるからである。
【本発明の効果】
【０００６】
このようにして、スプリングエレメントの個々の螺旋体にかかる過度の張力を、確実に分散することができる。複数のスプリングエレメントの螺旋体の構成形体、つまり、スプリングアームはさらに下記の利点を持っている。すなわち、支持エレメントにかかる全支持力を、使用されている複数のスプリングエレメントの螺旋体により、分散でき、換言すれば、る支持エレメントを支持している構造体へ、力を逸らすことができる。
【０００７】
スプリングエレメントは、トッププレートに交換可能に取り付けることが望ましい。このようにすれば、例えばクリーニングのために、トッププレートとスプリングエレメントを互いに引き離すことができる。
さらに、一方のスプリングエレメントと他方のトッププレ−トとを二つに分けた設計は、それぞれを異なる材料で作ることができるという、利点がある。
このことは、単にコストを下げるという利点だけでなく、この方法によって、一方のスプリングエレメントと他方のトッププレ−トとで、異なった機能的要求があった場合でも、適切な材料の選択により、解決することができるという利点もある。
この接続方法により、たとえば、異なった寸法で設計されたトッププレートを、モジュラー(組み立て)方式で、スプリング定数、弾性力、スプリングピッチ等が違う種々のスプリングエレメントに連結することができる、という顕著な利点がある。
すなわち、低コストの製造費用にも拘らず、さらに、上記のように、個々の調整要求をも考慮することができるのである。
【０００８】
本発明の他の提案によれば、スプリングエレメントをトーションプルーフ(捻れが少ない)な方法で、トッププレートに取り付けらことができる。これにより、一方のスプリングエレメントおよび他方のトッププレート間の、不本意な捻れを、防止できるという利点がある。
本発明によれば、スプリングエレメントはプラスチックまたは金属で作られる。特に、コストを考慮するなら、スプリングエレメントを射出成型されたプラスチック部品として形成すればよい。
本発明の他の特徴は、トッププレートが、例えば、長方形のスルーホールを備えていることにある。このことは、単に、材料の削減による重量の減少のみならず、トッププレートの寸法安定性を改良する、という効果をもたらす。
さらに、スルーホールは、例えば、トッププレートの一端にある支持エレメントにより支えられているマットレス、パッド等寝具の通気性を高める効果がある。
【０００９】
コスト面から、トッププレートは、射出成型部品として形成したプラスチックで成型することが望ましい。
本発明の他の特徴は、スプリングエレメントをキャリアプレートに固定する目的で、接続エレメントを、前記トッププレートと反対側の前記スプリングエレメントに装着することにある。接続エレメントは、それ故、一方でトッププレートを支えるスプリングエレメントと、他方で支持エレメントに適合スルキャリアプレートとの間を接続する部材とし働く。
本発明の第１の目的によれば、スプリングエレメントと接続エレメントは、ワンピースとして一体に形成することができる。この方法は、コスト的に利点がある。
本発明の他の提案としては、接続エレメントは交換可能にスプリングエレメントに装着される。一方の接続エレメントと他方のスプリングエレメントという、２部分構成は、各々の特性に対応して、異なった材料で作ることができる、という利点がある。接続エレメントとスプリングエレメントとの２ピースの設計により、接続エレメントは、支持エレメントをキャリアプレートに装着するために、スプリングエレメントとキャリアプレート間の、中間部材としての役割をする。このために、接続エレメントは、スプリングエレメントおよびキャリアプレートの双方に交換可能に装着することが望ましい。洗浄の目的で、スプリングエレメントは、接続エレメントから取り外すことができ、また接続エレメントはキャリアプレートから引き離すことができる。キャリアプレートから支持エレメントが
不本意に捻れ移動することを防ぐため、支持エレメントはトーションプルーフな方法でキャリアプレートに接続される。このため、接続エレメントは、スプリングエレメントおよびキャリアプレート双方にトーションプルーフな方法で装着される。
【００１０】
本発明の他の特徴は、接続エレメントはプラグ状に形成され、好ましくは熱可塑性プラスチックから成る。この方法の利点は、以下の通りである。接続エレメントは、密封方式で、キャリアプレートの対応するレセプタクルに挿入される。さらに、熱可塑性樹脂の弾力性により、接続エレメントをキャリアプレートに対応して設けられたレセプタクルに、安定した位置決めで、スクリューなどの道具を使うことなく確実に挿入できる。それゆえ、接続エレメントは、着脱自在に、何の道具も使用せず、キャリアプレートに装着できる。その上、接続エレメントは、もし振動が発生しても、ノイズを絶縁して、キャリアプレートに接続できる。
【００１１】
本発明の更なる提案は、キャリアプレートが、支持エレメントの接続エレメントに対応して形成されたレセプタクルを備えることにより、後述するように、キャリアプレートを支持エレメントに容易に接続できることである。
捻れ防止のため、接続エレメントの断面は完全な円でなく、楕円形または多角形に形成されている。キャリアプレートに設けられたレセプタクルは、接続エレメントの断面に対応して形成されている。
本発明の他の特徴によれば、キャリアプレートは、一列に配列された複数のレセプタクルを備えることが望ましい。この方法で、キャリアプレートに複数の支持エレメントを装着することができる。キャリアプレートのサイズにもよるが、多くの支持エレメントを装着しようとするときは、列に並べることが好ましい。
洗浄と軽量化のために、キャリアプレートはプラスチックで形成することが望ましい。
さらに、本発明は、ベッド特に、病棟や介護センター向けに提案される。
そこでは、後述するように、キャリアプレートにより形成された寝床から成るベッドが使用される。上述したように、複数の支持エレメントが、キャリアプレートのマットレス側に装着される。これにより、本発明の特徴である、互いに可動配置された複数のキャリアプレートを備えたベッドが提供される。勿論、支持エレメントが装着されたキャリアプレートは、寝椅子、マッサージマット等の用途に使う寝床、ベースに利用できる。
上述したように、本発明の支持エレメントは、交換可能に、ベッドの寝床面を形成する、キャリアプレートに装着できる。これにより、特に、洗浄の際、必要に応じ、サポートエレメントを取り外すことができる。
【００１２】
さらに、弾力性の異なる支持エレメントを有するゾーンを、寝床面に設けることにより、利点を生み出すことができる。
使用されている支持エレメントに適用されるスプリングエレメントにより、寝床面のスプリングの心地よさレベルを変えることができる。
これは、病院や介護エリアで、特に有効である。すなわち、病院や介護エリアの患者の個々の願いを満たしてくれるからである。
スプリングエレメントに関する上記課題を解決するために、本発明では、
少なくとも２つの渦巻状、および／又は螺旋状のストリップエレメントを備え、射出成型部品として形成したプラスチックより成る、スプリングエレメントであって、前記ストリップエレメントは、外力が与えられた際、弾力作用（スプリング効果）で反応し、かつ、前記ストリップエレメントの幾何学的形状および／又は材料を適切に選択することにより、該ストリップエレメントのスプリング効果が前もって決定されていることを特徴とする、スプリングエレメントを提供する。
【００１３】
本発明の構造面からは、先ず、プラスチックから成るスプリングエレメントが提案される。該エレメントは、少なくとも２つの渦巻状、および／又は螺旋状のストリップエレメントを備えている。スプリングエレメントに外力が与えられた際、ストリップエレメントは、弾力作用（スプリング効果）で反応し、かつ、前記ストリップエレメントの幾何学的形状および／又は材料を適切に選択することにより、該ストリップエレメントのスプリング効果、例えば、時代の流行らを考慮して、前もって決定されていることを特徴とする、スプリングエレメントを提供する。上記は、スプリングエレメントの多目的利用を可能にする。
【００１４】
本発明で幾何学的選択をすることは、ストリップエレメントの幾何学的形状はアプリケーションから予想できる力に対し、適切に調整され、結果として、所望ノスプリング効果が達成される。このため、一方において、スプリングエレメントの長手方向、横断方向の広がり、断面形状等が、他方において、渦巻状または螺旋状に形成されたスプリング本体の幾何学的設計が前もって決定される。それゆえ例えば、スプリング本体は、円錐形のテーパー状外観を持つよう設計される。
スプリング本体は、また、実質的に円筒形であってもよい。
【００１５】
本発明の他の特徴は、上記の具体的な幾何学的形状は、アプリケーションの要求により設計される。もし、経済的な生産を要求されれば、射出成型部品として形成したプラスチックより成るスプリングエレメントが提供される。
スプリングエレメントの幾何学的条件を予め決めることは、該エレメントを有効に多様化することであり、幅広い応用面を創出できる。本発明の目的である材料の選択とは、ストリップエレメントの形成に際し、実稼動中に該エレメントが受ける力を調整することのできる材料特性を備えたプラスチックを選ぶということである。
結論として、使用されるプラスチック材料は、一方において、十分な機械的強度をもち、他方では、所望のスプリング力を有することが必要である。さらに、上記材料は、耐腐食性をもち、かつ、保守や洗浄に対し化学的に反応しなことが必要である。簡易なスプリングエレメントと比較して、本発明のスプリングエレメントは下記のさらなる利点がある。すなわち、製造時、組み立て時の軽量化、操作性、経済性といった点である。
本発明の他の特徴は、ストリップエレメントをワンピースで形成することである。このため、ストリップエレメントは、射出成型部品として形成される。ワンピースで形成する利点は２つのストリップエレメントを接続する必要がないことである。製造時に直接、スプリングエレメントとして成型できる。これは、製造および組み立てを経済的にできるという、効果をもたらす。本発明の他の特徴は、ストリップエレメントを渦巻状または螺旋状に、同方向に形成することである。
【００１６】
さらに、ストリップエレメントは互いにずらして、渦巻状または螺旋状に形成し、使用中、スプリングエレメントにかかる力を均一にすることができる。
さらに、上記エレメントを、曲げや捻れに強い設計とすることができる。
本発明の他の特徴によれば、ストリップエレメントは複数の本体エレメント（マルチボディエレメント）から成る。マルチボディエレメントとは、互いに接続された異なったボディエレメントを形成したものである。たとえば、各ストリップエレメントは、第２のプラスチックで包むことにより囲まれた第１のプラスチックで作られる。予想されるアプリケーションで受ける力により、ストリップエレメントのあるは部分は異なったボディとして形成される。例えばストリップエレメントは、長手方向に沿って変化するボディエレメントから成る。そこでは、ボディエレメントは、幾何学的にまた材料的に変えることが可能である。たとえば、ストリップエレメントは長手方向にテーパーが付けられている。テーパーは連続的でも段階的であってもよい。さらに、ストリップエレメントは補強リブを備えてもよい。
【００１７】
本発明の他の特徴は、ストリップエレメントの断面は円形から偏ってもよいことである。長方形の断面も考えられ、それは曲げに対して強いという利点がある。さらに、長手方向にそって、断面を変化させたることもできる。長手方向に縮小して構成した場合、長手方向にテーパーが付けられることになる。本発明は、トッププレートと、外観が円錐形で螺旋状に形成されたスプリングエレメントと、を備えた支持エレメントであって、前記トッププレートおよびスプリングエレメントはプラスチックより成り、前記スプリングエレメントは複数個の螺旋体を有することを特徴とする、支持エレメントを提供する。
本発明は、前記スプリングエレメントを、交換可能に前記トッププレートに装着することを特徴とする、請求項１に記載した支持エレメント。
本発明は、前記スプリングエレメントをキャリアプレートに固定する目的で、接続エレメントを、前記トッププレートと反対側の前記スプリングエレメントに装着することを特徴とする支持エレメントを提供する。
【００１８】
本発明は、前記支持エレメントに接続するキャリアプレートであって、前記キャリアプレートはプラスチックから成り、前記支持エレメントに接続するため、前記支持エレメントの接続エレメントに対応して形成されたレセプタクル）を備えることを特徴とする、キャリアプレートを提供する。
【００１９】
本発明は、少なくとも２つの渦巻状、および／又は螺旋状のストリップエレメントを備え、射出成型部品として形成したプラスチックより成る、スプリングエレメントであって、前記ストリップエレメントは、外力が与えられた際、弾力作用（スプリング効果）で反応し、かつ、前記ストリップエレメントの幾何学的形状および／又は材料を適切に選択することにより、該ストリップエレメントのスプリング効果が前もって決定されていることを特徴とする、スプリングエレメント
を提供する。
【００２０】
本発明は、スプリングアーム、基礎部分および前記基礎部分の高さ方向の反対側に位置する上側部分から成る、２つの渦巻状あるいは螺旋状に形成したストリップエレメントを備えた、スプリングエレメントであって、前記、基礎部分、上側部分およびスプリングアームは、何れも、射出成型部品として形成したプラスチックより形成されることを特徴とする、スプリングエレメントを提供する。
本発明は、前記上側部分は、前記基礎部分に面した底側に補強リブを備えることを特徴とする、スプリングエレメントを提供する。
本発明は、前記上側部分より立ち上がる前記スプリングアームによって形成されたスプリング本体が、円錐形のテーパー状外観を有することを特徴とする、スプリングエレメントを提供する。
本発明は、スプリングエレメントと該スプリングエレメントの上側部分に装着されたトッププレートとから成る、スプリングモジュールを提供する。
本発明は、マットレス、パッド等の、少なくとも平面的に広がった設備に用いられ、複数個順序よく配置して共通の支持表面を形成する受けエレメントであって、前記受けエレメントを皿型のプレート状に形成し、前記受けエレメントはキャリアエレメントに取り外し可能に装着する手段を有することを特徴とする、受けエレメントを提供する。
本発明は、前記受けエレメントは、一体に成型したプラスチックから成ることを特徴とする、受けエレメントを提供する。
本発明は、前記受けエレメントは、一方に円形部分を、他方に該円形部分に装着した表面部分を備えたことを特徴とする、受けエレメントを提供する。
本発明は、前記表面部分はマットレス、パッド等に面する側にリブを有することを特徴とする、受けエレメントを提供する。
【００２１】
本発明は、プラグ状部分を備え、基盤上に機能エレメントを装着するためのコネクタであって、前記プラグ状部分を基盤の凹部に対応して形成し、該凹部に挿入できるようにし、これにより、プラグ状部分は、機能エレメントに装着された接続エレメントに適合する凹部を備えることを特徴とする、コネクタを提供する。
本発明は、前記プラグ状部分はその外円側に、外方向へ放射状に伸張する補強リブを備えたことを特徴とする、コネクタを提供する。
本発明は、前記プラグ状部分はその一方の端にカラーを備え、コネクタを装着する際、該カラーを基盤の上側に載せることを特徴とする、コネクタを提供する。
本発明は、前記カラーはシーリングリップを備えていることを特徴とする、コネクタを提供する。
【００２２】
本発明は、前記カラーは、基盤に面する底側に、シーリングひだを備えていることを特徴とする、コネクタを提供する。
本発明は、詰め物（パッディング)、椅子（シッティング）および／又は、寝具（ライイング)等の家具に用いるパッド設備に利用され、互いに隣接して配置された複数個の支持エレメントを備えた、デバイスであって、前記各支持エレメントは、スプリングエレメントと、それに装着したパッドレセプタクルから成り、前記スプリングエレメントは複数の螺旋体を含む設計から成り、少なくとも２つの渦巻状および／又は、螺旋状に形成したスプリングアームを備え、さらに、前記スプリングエレメントはプラスチックより成ることを特徴とする、デバイス。
【００２３】
本発明は、前記パッドレセプタクルはプラスチックから成ることを特徴とする、デバイスを提供する。
本発明は、前記パッドレセプタクルを、多角形に形成したことを特徴とする、デバイスを提供する。
本発明は、前記パッドレセプタクルを、５角形に形成したことを特徴とする、デバイスを提供する。
本発明は、前記パッドレセプタクルを、６角形に形成したことを特徴とする、デバイスを提供する。
【００２４】
支持エレメントは、スルーホールと、トッププレート上に配置されたスプリングエレメントと、スプリングエレメント上であってトッププレートと反対側の位置に取り付けられた接続エレメントと、を備えた、トッププレートにより形成される。本発明によれば、スプリングエレメントは螺旋状に形成されている。
該スプリングエレメントは、支持エレメントの一端に位置するトッププレートと、支持エレメントの他端に適合たキャリアプレートとの間に張り渡されている。
スプリングエレメントは、トッププレートからキャリアプレート方向への横断面から見て、円錐形にテーパー状形成されている。トッププレートエリアでは、スプリングエレメントの直径は50ｍｍ〜６０ｍｍであることが好ましい。
トッププレートに加工されたスルーホールは、特に、例えば、マットレスで就寝中の換気に役立つ。該スルーホールは、換気効果を良くするために、支持エレメント１の上部に置かれる。このようなスルーホールの機能が明確に理解される。
本発明に係る、支持エレメントの個々の部品は、トッププレート、スプリングエレメントそして接続エレメントが明確に解かるであろう。
接続エレメントは、プラグ状に形成され、基体と、その上に配置された円周形状のリムとよりなる。支持エレメントをキャリアプレート上で交換可能な配置とするため、接続エレメントは、交換可能に、対応するキャリアプレートに形成されているレセプタクルに挿入される。
【００２５】
接続エレメントのリムは、から解るように、キャリアプレートに接続エレメントを取り付け支持するためである。
さらに、接続エレメントには孔があり、トッププレートから離れているスプリングエレメントの端部を該孔に、好ましくは交換可能の方法で、挿入する。キャリアプレートに支持エレメントをトーションプルーフ(捻れが少ない)で確実に取り付けるために、接続エレメントは、スプリングエレメントおよびキャリアプレートの両方にトーションプルーフな方法で取り付けられる。
【００２６】
スプリングエレメントは、螺旋状に形成されたスプリング本体と、基部と、基部７に取り付けられ、対応する接続エレメントの孔に合うように形成されたピンから構成されている。スプリングエレメントの基部は接続エレメントにより支えられように取り付けられる。トッププレートは、好ましくは押し出し成型された、成型エレメントより成る。台から離れている側の成型エレメント上には、トッププレートにスプリングエレメントをトーションプルーフにとりつけるため、レセプタクルが、設けられている。レセプタクルの寸法に関しては、スプリングエレメントのスプリング本体を形成する、連続した螺旋体（ヘリカルスレッド）がぴったり合うように定める。このようにして、スプリングエレメントを、一定の力で、確実に、トッププレートへ差込むことができる。
スプリングエレメントをトッププレートにしっかり固定するため、レセプタクルは接続手段として接続片を備えている。これらの接続片は、一方の側のトッププレートおよび他方の側のスプリングエレメントと交換可能に取り付けられるように、形成されていることが好ましい。例えば、前記接続片は、ラッチまたはクリップ型に形成することができる。上述した、接続エレメントをキャリアプレートに取り付ける方法は後述する。キャリアプレートの上に載せられている接続エレメントのリブがはっきり見える。さらに、スプリングエレメントのピンが挿入される、接続エレメントの孔も示されている。
【００２７】
スプリングエレメントに接続エレメントを取り付ける状態を示す。この下側から孔に挿入されたスプリングエレメントのピンのピン端が識別できる。支持エレメントが最終的にキャリアプレート上に配置される状態を示している。使用されるキャリアプレートのサイズにもよるが、キャリアプレートには、複数の支持エレメントが装着でき、その場合、好ましくは、支持エレメントをキャリアプレート上に整列配置する。スプリングエレメントは、上部分と基礎部分を備えている。スプリングアームは、上部分と基礎部分との間にあって、上方向に伸張する。
全体として、２つのスプリングアームが、基礎部分から上部分に向かって、螺旋状に伸張する。本発明によれば、スプリングエレメントはプラスチックから成り、ワンピースで形成する。基礎部分は、Ｓ字型に形成する。それは、スプリングアームの基礎部分側の二つの端部エリアに接続されている。上部分は、年輪形に形成される。二つのスプリングアームは、基礎部分から立ち上がり、内周側の上部分で共に合流する、
スプリングアームの上部分側の二つの端部エリアは互いに反対側に配置され、上部分を支える。スプリングエレメントの構成から明らかなように、２つのスプリングアームから形成されるスプリング本体は、上部分から下方へ、円錐形にテーパーが付けられた形となっている。２つのスプリングアームの螺旋の捻れは各々３６０度である。これにより、スプリングアームの上部分側の二つの端部エリアおよびプリングアームの基礎部分側の二つの端部エリアは、それぞれ、上部分および基礎部分において互いに反対側に配置される。上述したスプリングエレメントの実施態様は、その適用分野の要求に合った形で各々設計することができる。
【００２８】
したがって、例えば、スプリングアームの螺旋の捻れを３６０度以上又は３６０度以下にしても構わない。また、スプリング本体は、２つよりさらに多くのスプリングアームから形成してもよい。たとえば、３ないし４個のスプリングアームを連結した設計であてもよい。スプリングエレメントは、寸法を正確に表現しているものではない。上部分の年輪形状部の外形ＤＡは、ＤＡ≒11ｃｍが好ましい。勿論、適用分野により外径が異なることはいうまでもない。スプリングエレメントの高さ方向の長さＬＨは、ＬＨ≒５ｃｍが好ましい。適用分野により、ＬＨの値が3ｃｍ〜７ｃｍの範囲ということも当然考えられる。
本発明に係るスプリングエレメントは、その寸法が小さいこと及び多方面の適用可能性が特徴である。該スプリングエレメントは、下記のような弾性基体として使用される。すなわち、椅子などの座るための家具、ベッドなどの横たわるための家具、乗用車や貨物自動車などの座席、ガーデンやキャンピングの備品、マッサージその他看護用の備品など等である。前記スプリングエレメントは、容易に取り付け、取り外しができ、また対候性、耐腐食性があり、さらに水で容易に洗うことができる。
【００２９】
本発明の他の実施例として、スプリングエレメントを、例えば、上部側に配置されているトッププレートの支持面に結合する。トッププレートへのスプリングエレメントのトーションプルーフな取り付のために、凹部が、輪状の上側部分１の外周にあてがわれる。トッププレートに取り付ける場合、トッププレートのスプリングエレメントに対応して形成された保持溝に、スプリングプレートを嵌合する。このようにして、トッププレートに対するスプリングエレメントの相対的な捻れを、防ぐことができる。本発明の別な実施例によれば、複数のスプリングエレメントを、１つの同じトッププレートに取り付けることができる。スプリングエレメントは、好ましくは、所謂、差し込みピン方式(ＢＡＹＯＮＥＴ  ＣＡＴＣＨ)でトッププレートに接続される。この目的のために、上側部分は、長手方向に対し、異なる断面を持つよう形成されたスルーホールを備えている。トッププレート上に対応して形成されたが保持エレメントを、後ろから埋め込むことができように、スルーホール内に切り込みが形成されている。
【００３０】
このようにして、スプリングエレメントとトッププレートとの間に、何時でも取り外せるフォーストランスミッシヨン(力伝達)接続を構築することができる。
ラッチ手段部は、スルーホールエリアでかつ、上側部分のボトム側に備えられる。これらのラッチ手段部は、スルーホールに挿入される保持エッレメントをしっかり確保する。このことにより、スプリングエレメントとトッププレートとの接続が、意図に反して外れることを防止できる。補強リブが、補強の目的で、上側部分のボトム側に設けられる。
模範的な実施例によれば、合計３個の補強リブが取り付けられている。一方では、各スルーホールが補強リブにより囲まれており、他方では、補強リブが、上側部分の外縁に備えられている。本発明の他の実施例によれば、スプリングエレメントは、支持構造体に取り付けられる。
【００３１】
本発明の目的のため、前記支持構造体は、スプリングエレメントを取り付ける上でふさわしいものである。上記の実施構造としては、ライイングサーフエースエレメント(寝具)、軸組構造（フレームワーク）、スレート引きフレームなどが挙げられる。スプリングエレメントは基本部分の前記支持構造体側に取り付けられる。この目的のため、前記基本部分は、例えば、ピン型のエクステンションに形成された、対応する接続エレメントのように設計される。支持構造体は、ピン型エクステンションを挿入する凹部を備えている。
【００３２】
上記取り付けは、ピン型エクステンションが円形状基準から離れた断面を持つように形成されることにより、トーションプルーフに実現できる。勿論、一方のスプリングエレメントと他方の支持構造体の間の別な接続方法も考えられるが、しかしながら、上記のような接続は以下のような利点がある。すなわち、容易な方法で取り付け、取り外しができ、組み立ておよび取り外しが楽であるという利点が得られる。さらに、もし望むなら、クリーニングの目的で、スプリングエレメントは支持構造体から分離できるように、この接続は取り外し可能となっている。支持構造体により一列および／又は対称的に保持された数複数のスプリングエレメントを取り付けるために、支持構造体が好ましくは用いられる。その後、スプリングエレメントは、最初に接続エレメントとして使われるエクステンションと共に、スリーブ状ボディに挿入される。接続エレメントの側面には、「筋かい」としてみられるような、補強リブが取り付けられる。
【００３３】
凹部およびスリーブ状ボディは、接続エレメント（それに取り付けられている筋かいを含み、かつ筋かいに適応したスロット形状の広がりを有する）の断面と対応して形成される。接続エレメントをスリーブ状ボディに挿入するとき、該スリーブ状ボディが、接続エレメントの筋かいいよって、広がるので、結果として、スプリングエレメントと支持構造体間はしっかりと接続される。さらに、この設計は、次のことを明確に実現する。すなわち、スリーブ状ボディを、接続エレメントおよび凹部の両方に、トーションプルーフで接続することができる。さらにその上、支持構造体にスプリングエレメントを位置的に安定して取り付けるため、スリーブ状ボディは、凹部にプッシュインまたはプレスインで挿入できる弾性体で形成されることが好ましい。この目的のため、スリーブ状ボディは、凹部よりも僅かに大きい直径寸法にする。その上、凹部とスリーブ状ボディの幾何学的設計は、スプリングエレメントが通常の手動操作で取り付け、取り外しができるように、互いにかん合できる形に形成される。従って、何の道具も必要としない。スプリングエレメントとトッププレートから成るスプリングモジュールもある。
【００３４】
典型的な実施例として、スプリングエレメントは、直接支持構造体に取り付けることもできる。この典型的な実施例によれば、スプリングエレメントの基本部分は、スプリングエレメントを支持構造体に固定するため、例えば、スクリューやリベットが固定手段として利用できるように、凹部や孔が設けられる。上記設計は、例えば、「座わる」または「横たわる」という機能を持つ家具、特にガーデンやアウトドアの備品に適している。上記の「座る」あるいは「横たわる」ための表面シートを形成するため、複数のスプリングエレメントが、例えば、プレート状の基体やスレートから成る基体の支持構造体上に密に配列される、前記スプリングエレメントは前記支持構造体に、スクリュー、リベットあるいはその他の方法で接続される。本発明によれば、プレーンな支持面を創り出すために、スプリングエレメントの配列は密となるので、スプリングエレメントの上側部分は、比較的小さな外径、例えば、5ｃｍに構成される。スプリングエレメントは、成型品などの介在物を入れることなく、スプリングエレメントの上側部分に横たわる布で直接覆われる。
特に、アウトドア用に覆う布は、水で洗うことが出来ることが望ましい。先に述べたような典型的な実施例では、「寝る、または座る」ためのシートの表面は、特にアウトドアのアプリケーションに適した、容易に洗うことができ、また耐耐性を有すように形成される。さらに加えて、非常に軽く、それゆえ容易に持ち運びできるという、利点がある。他の利点は、次のことである。すなわち、スプリングエレメントは、表面が換気性のある材料で覆われているので、長時間、座ったり、横になったりした場合の発汗を防止することができる。本発明に係る他のスプリングモヂュールについて説明する。スプリングモヂュールは、二つのスプリングエレメントより成り、それらは互いに基礎部分側で接続されている。二つのスプリングエレメントの上側部分は、各々１つのトッププレートに接続される。隔離された位置にある本発明に係る受けエレメントは、プラスチックから成り、ワンピースに形成される。本発明に係る受けエレメントは、プラスチック押し出し成型で製作されることが好ましい。受けエレメントは、一方では、円形部分が形成され、他方では、表面部分がそれに取り付けられて形成される。円形部分は、マットレス、パッド等から離れた側にある受けエリア（その機能については後述する）を備えている。受けエリアは、円形部分に取り付けられている円周状の鍔（カラー）（このカラーの機能も後述する）に囲まれている。円形部分と２つの表面部分は、２つの補強リブによって接続されている。補強リブが導入されている中央セクターは、円形部分内に設置されている。受けエレメントは、スルーホールを備えており、該スルーホールは、受けエレメントの上側に配置されているマットレス、パッド等の換気に役立つ。
上記のディシュスタイル（皿型）に形成されたプレート状の受けエレメントの構造は、その高い「寸法安定性」と「捻れこわさ」（トーションスチフネス）耐曲げおよび／又は捻れ伸張性に特徴がある。
【００３５】
マットレス、パッドその他同様に用いられるものに面する側の表面部分は、補強リブを備えている。これらのリブは、受けエレメントのさらなる安定性に役立つのみならず、リブは、また、受けエレメント上のマットレス、パッド等の相対的に安全な位置決めを確実にしてくれる。これらのリブは、一方のマットレス、パッド等と他方の受けエレメントとの間の望まない変位を防ぐ助けになるからである。本発明によれば、受けエレメントは、例えば、スプリング弾性エレメントの形で、キャリアエレメントに交換可能に取り付けられる。この目的のために、受けエレメントは、前記した受けエリアをキャリアエレメント側に有するのである。組み立てると、この受けエリアは、対応するキャリアエレメントの形成部分に適合する形となる。受けエレメントをキャリアエレメントに変位なく取り付ける目的で、受けエリアは、円周形のカラー(鍔)で囲まれており、該カラーは、一方の受けエレメントと他方のキャリアエレメントとの間の相対的変位を防止する。
【００３６】
キャリアエレメント上に受けエレメントをトーションプルーフに取り付けるために、受けエレメントにラッチ手段を講ずることが可能である。さらにまた、トーションプルーフに取り付ける目的で、受けエレメントとキャリアエレメントは、スクリューで一体に接続することができる。組み立てたとき、受けエレメントとキャリアエレメントは、支持エレメントを形作る。受けエレメントとキャリアエレメントから成る支持エレメントは、支持構造体上に配置されているのが解る。この配置は、交換可能に設計されている。すなわち、必要に応じ、支持エレメントは支持構造体からきり離し、また受けエレメントはキャリアエレメントからきり離すことができる。受けエレメントと支持構造体上のキャリアエレメントから成る支持エレメントの取り付けは、好ましくは、接続エレメントを挿入することにより実現する。この接続エレメントは、熱可塑性プラスチックから作られ、プラグ状に形成されることが好ましい。例えば、スプリングエレメントとして設計されている、キャリアエレメントは、スプリング本体、基礎部、基礎部に取り付けられたピンから形成される。既に述べたように、接続エレメントは、プラグ状に形成され、基礎本体とそれに取り付けられている円形状リム（縁）より成る。
【００３７】
支持構造体へ交換可能にキャリアエレメントを取り付ける目的で、接続エレメントは、支持構造体に対応するように形成された孔に、交換可能に挿入する。接続エレメントのリムは、支持構造体に接続エレメントを支持する役割をする。
一方、接続エレメントは孔を備え、キャリアエレメントのピンが、できれば交換可能に、該孔に挿入される。キャリアエレメントを支持構造体にトーションプルーフに取り付けることを確実にするため、接続エレメントは、トーションプルーフな方法で、キャリアエレメントおよび支持構造体の双方に取り付けられる。
【００３８】
キャリアエレメントは、螺旋状スプリング本体と基礎部、および基礎部に取り付けられたピンから成るスプリング弾性体エレメントとして形成され、前記ピンは、接続エレメントの対応する孔に挿入される。組み立て条件として、キャリアエレメントの基礎部分は、接続エレメントに対し、それ自体で支持するように取り付ける。既に上述したように、受けエレメントは、押し出し成型された部品で形成されたエレメントから構成されることが望ましい。受けエレメントをキャリアエレメントに取り付けるため、受けエレメントは、キャリアエレメントに面する側に受けエリアを備えている。前記受けエリアの寸法に関しては、スプリング本体の連続した螺旋体を完全に収容できる大きさとする。このようにすれば、一定の力で、受けエレメントからキャリアエレメントへと導入することが確実にできる。
受けエレメントをキャリアエレメントに固定するため、受けエリアは、接続手段を備えている。前記接続手段は、受けエレメントをキャリアエレメントに交換可能に接続できるように形成される。さらに、キャリアエレメントは、接続エレメントに、ピンにより、先ず挿入される。受けエレメントにあてがわれるキャリアエレメントは最終的に支持構造体に取り付けられる。ベッドの表面（ライイングサーフエース）を形成するよう設計される支持構造体には、そのサイズにより、受けエレメントにあてがわれるキャリアエレメントが複数個配置される。
【００３９】
その際、キャリアエレメントは、支持構造体の上に列をなして配置されることが好ましい。たとえば、ベッド（ライイングサーフェース）に用いられる支持構造体に見られる。ライイングサーフェース(寝床面)は、特に、病床および／又は看護ベッドの骨組み構造に適合される。支持構造体は、足部セクション、頭部セクション、脚部セクション５９、骨盤部セクションから成り、個々のセクションは、互いに対応するジョイント部を備えている。これにより、前記各セクションは、相対的にピボット状(軸回転可能)に配列されている。なお、前記頭部セクションは、他との比較において、少し直立している。前記各セクションは、マットレス側に取り付けられた支持エレメントを備えている。前記各支持エレメントは、受けエレメントとキャリアエレメントを持つ。それら全体の中で、受けエレメントは、共通支持表面を形作るように、接近して、配置される。受けエレメント、例えば、受けエレメントをキャリーするキャリアエレメントは、好ましくは、長手方向および横断方向の両方向に整列配置される。さらに、本発明によれば、頭部セクションのエリアでは、他のセクションとは、異なり、各受けエレメントは２個のキャリアエレメントにより支持される。機能エレメントは、スレートフレームまたは平板状基板として設計されたか基盤上のスプリングエレメントとして提供される。コネクタはプラグ状部分を形成し、そこの高さ方向の上端にカラー（鍔）が形成されている。一方、カラーは、円形のシーリングリップにあてがわれており、それは、コネクタが取り付けられる時に、基盤の上側に配置される。
【００４０】
プラグ状部分には二つの補強リブがあてがわれ、それらは、プラグ状部分の外円側に取り付けられて、外方向へ放射上に伸張する。外円側のカラーは、コネクタが組み立てられる時に、上述した方法で基盤の上側に配置されたシーリングリップを包含している。
さらに、カラーは、基盤の反対側に配置されたシーリングひだを有している。
シーリングリップとシーリングひだは、機能エレメントと基盤の間にいかなる液体も侵入しないようにする。このような設計は、不本意な液体の漏れを防止するのみでなく、基盤、コネクタ、機能エレメント等を水で洗う際、使用する水が該基盤の底に達することなく洗浄できるという利点もある。基盤上に機能エレメントを取り付けるために、コネクタを、基盤に設けられた凹部に先ず挿入しなければならない。この目的のために、凹部とプラグ状部分とは、各々の対応する断面が互いに対になっている。プラグ状部分に配置された補強リブは、一方では、前記プラグ状部分をトーションプルーフな方法で基盤に取り付けるのに役立ち、他方では、プラグ状部分に曲げと捻れ張力の両方に抗する補強力を与える。これにより、基盤に設けられた凹部にコネクタを正確に挿入することが容易にできる。
機能エレメントは、コネクタの面する側に、接続エレメントを備えている。
この接続エレメントはコネクタの凹部に挿入される。その結果、正確な位置決めの下で、機能エレメントを、基盤に安全に取り付けることができる。この目的のために、凹部は、第１の部分と二つの第２の部分とを備え、前記第１の部分の形状は実質的に円形であり、他方、二つの第２の部分はスロット状に形成されている。組み立てに際しては、接続エレメント上に形成された広がり部に上記二つの部分が結合される。これにより、機能エレメントをコネクタに、トーションプルーフに取り付けることができるのである。さらに、接続エレメントをコネクタの凹部に挿入したらすぐ、コネクタは、接続エレメントの拡張により押し込まれる。この押し込み（ｐｕｓｓｉｎｇ−ｓｐｓｒｔ）の作用で、プラグ状部分の補強リブが外方向に圧力を受け、それにより、基盤に設けられた凹部内で、プラグ状部分が確実に保持できるのである。それゆえ、補強リブは、次の三つの機能をもたらしてくれる。（１）プラグ状部分を補強する。（２）基盤に設けられた凹部内で、プラグ状部分の取り付けをトーションプルーフにできる。（３）押し込み機能により、基盤に設けられた凹部内で、プラグ状部分が確実に保持できる。
カラーの対向端に、プラグ部分は、例えば、円形胴体状に形成された、ラッチ部を備えている。コネクタを取り付ける時、ラッチ部は基盤の底に配置される。このような配置により、コネクタが、基盤に設けられた凹部から、不本意に移動することを防止できる。
【００４１】
取り外しの目的から、ラッチ部を支えるプラグ状部分の端部は、容易に加圧でき、前記凹部から抜き取ることができる。ラッチ部の幾何学的寸法と、プラグ状部分の物質的特性とは互いに適合し、プラグ状部分は、何ら道具を使うことなく、単に指先の力のみで加圧することができる。さらに、プラグ状部分は、カラーの対向端に円形状の溝が設けられている。取り付ける際は、前記溝を接続エレメントに形成された切り欠き部に付ける。その結果、機能エレメントを、コネクタに、安定した位置でとりつけ固定できる。機能エレメントは、それ故、コネクタから、不本意に外れることがなく、機能エレメントを、基盤に全体として安定位置でしっかり固定できる。機能エレメントは、スプリングエレメントとして、設計される。スプリングエレメントのスプリングアームの部分断面を示している。基盤は、できれば、深く曲がる寝床面（ディープ  ドラウン  ライイング  サーフェース）として形成されるプラスチックから成る支持構造体であることが、好ましい。
コネクタは、弾性材料できればプラスチックからなることが望ましい。基盤の機能エレメントとして設計されたスプリングエレメントを取り付けるために、先ず、コネクタが基盤の凹部に挿入される。高さ方向に、プラグ状部分は例えば、２〜６ｃｍ好ましくは5ｃｍの広がりを持っている。長手方向の広がりの正確な寸法は、高さ方向における基盤の厚さ、および前記凹部により作られるドームの厚さに依存する。重要なことは次のことである。すなわち、一方では、ラッチ部を基盤のボトム側にロック方式で配置するために、他方では、基盤の上側に設けられるシーリング方式における、シーリングリップおよびシーリングひだを有するカラーのために、プラグ状部分は高さ方向における長手方向の広がりを持つということである。コネクタを基盤の凹部に挿入するとき、スプリングエレメントとして設計されている機能エレメントはコネクタに挿入される。この目的のため、機能エレメントのコネクタ側に取り付けられたピン状エクステンション形状を有する接続エレメントがコネクタの凹部に挿入される。その結果、接続エレメントをコネクタの凹部に挿入した結果として、コネクタは、僅かに押し広げられる。その結果として、補強リブは基盤の凹部の円周側に加圧される。さらにまた、補強リブはくさび状に形成することもできる。
【００４２】
ソファーやベッドなど表面積が大きな家具について、弾力的な支持層を形成するためには、スプリングエレメントとして設計された複数の機能的エレメントを基盤に配置すればよい。基盤は複数の凹部を備え、該凹部へ本発明に係るコネクタを挿入することにより、スプリングエレメントを配置するという目的を達成できる。パッディング、シッティングおよび／又はライイング家具のパッド(緩衝材)を提供するための本発明に係るデバイスは、隣接して配置された複数の支持エレメントから成る。支持エレメントを横断方向に互いにずらして配列するために、後述するように、各支持エレメントのパッドリセプタクルは、環状に形成され、また外側は6辺形の輪郭をもつ。長手方向に沿って、支持エレメントは、少しのずれもなく配列される。
【００４３】
しかしながら、個々の支持エレメントの、ずらし配置は、長手方向でもまた可能である。例えば、環状パッドリセプタクルの外側輪郭を6角以上にすればよく、何角形でも自由にデザイン可能である。本発明に係るデバイスは、互いにずらして配置された複数の支持エレメントから形成される。スペースの大きさは実施の形態により定めらことができる。本発明に係る、デバイスであって、該エレメントは一方では、スプリングエレメントを備え、他方ではパッドレセプタクルを備えている。ところで、スプリングエレメントは、基礎部分から螺旋状に広がる、2つのスプリングアームから形成されている。基礎部分の反対側に位置するパッドレセプタクルはスプリングアームおよび、すなわち、スプリングエレメント上に配置される。支持エレメントはワンピースで形成される。すなわち、スプリングエレメントはパッドレセプタクルと一緒に、ワンピースコンポーネントとして形成する。パッドレセプタクルは、環状に形成され、外側は６角形の輪郭をもつ。、五角形の輪郭をもつパッドレセプタクルを備えた支持エレメントであってもよい。、支持エレメントは、好ましくは、デバイスを作るために、端部を揃えて、互いに連結される。支持エレメントは、押し出し成型されたプラスチックでワンピースに形成される。プラスチック成型は、耐腐食性に優れている。支持エレメントは、一方において、スプリングエレメントから成り、他方においては、パッドレセプタクルから成る。支持エレメントは、一体に形成されるのではなく、スプリングエレメントとパッドレセプタクルは、むしろ分離された部品として構成され、それらは必要に応じて連結される。上記の利点は、スプリングエレメントとパッドレセプタクルとを各々異なった材料で構成できることにある。しかしながら、スプリングエレメントおよびパッドレセプタクルはプラスチックから成り、プラスチックの押し出し成型部分から形成される。スプリングエレメントとパッドレセプタクルの上に形成される接続手段が、前期スプリングエレメントおよびパッドレセプタクルに提供される。スプリングエレメントのスプリングアームおよびは、それぞれ、一端に形成されたアイ部としてのレセプタクルを備えている。これらのアイ部は、挿通孔をそれぞれ有している。ピンは、挿通孔に対応して形成され、パッドレセプタクルのスプリングエレメント側に取り付けられる。
【００４４】
取り付けの際、これらのピンは、スプリングエレメントの前記孔に装着され、それにより、位置的に安定して、スプリングエレメントにパッドレセプタクルを取り付けることができる。パッドレセプタクルのピンおよびは、ハウジング状レセプタクルおよびによって、各々囲まれている。前記レセプタクルは、支持エレメントを取り付ける際に、スプリングエレメントに結合されているアイ部をそれぞれ収容する。スプリングエレメントおよびパッドレセプタクルの不本意な離脱を防ぐために、レセプタクルは各々、ラッチ片を有する。支持エレメントを取り付ける際に、該ラッチ片はスプリングエレメントと一体になっているアイ部の背部に装着される。ラッチ片は、スプリング弾性体であり、それゆえ、パッドレセプタクルは、例えば洗浄や修理等、必要に応じ、一体となっているスプリングエレメントからそれぞれ引き離すことができる。スプリングエレメントのスプリングアーム用のパッドレセプタクル上に形成された支持表面は、レセプタクルのエリアのみに形成される。支持エレメント上のスプリングエレメントは、２つの螺旋状スプリングアーム、すなわち、二つの螺旋状設計体を備えている。他の実施例も勿論可能であり、例えば、３〜４個の螺旋状体を備えてもよいことは言うまでもない。また、支持エレメントは、プラスチックから成り、プラスチックの押し出し成型部分から形成されているスプリングエレメントおよび／又はパッドレセプタクルを備えている。
支持エレメントをもう一方の側、例えば、キャリアフレーム、キャリアプレート、支持フレーム、スレート等に取り付けるため、各支持エレメントは、ピン状のエクステンションを備えている。そして、該エクステンションはスプリングエレメントおよび反対側に配置されたパッドレセプタクルと一体に形成されることが望ましい。前記エクステンションに対応して形成された孔を備え、該孔に前記エクステンションを挿入することにより、支持エレメントを安定した位置でしっかり取り付けることができる。トーションプルーフに取り付けるため、ピン状エクステンションは、その断面が円形から偏った形状となっている。
さらに、前記ピン状エクステンションが対向部に対応して設けられた孔から不本意に離脱することを防ぐため、ラッチ手段を講じてもよい。
【発明を実施するための最良の形態】
【００４５】
他の本発明の特徴および利点は、図面を参照して説明する。
【実施例】
【００４６】
図１は、本発明に係る支持エレメントの立体図である。
図1は、支持エレメント１を下側から見た斜視図である。
支持エレメントは、スルーホール６と、トッププレート２上に配置されたスプリングエレメント３と、スプリングエレメント３上であってトッププレートと反対側の位置に取り付けられた接続エレメント４と、を備えた、トッププレート２により形成される。
本発明によれば、スプリングエレメント３は螺旋状に形成されている。
該スプリングエレメントは、支持エレメント１の一端に位置するトッププレート２と、支持エレメント１の他端に適応（アコモデート）しているキャリアプレート１６との間に張り渡されており、その様子は、図５および図６に示されている。スプリングエレメント３は、特に図５に示すように、トッププレート２からキャリアプレート１６方向への横断面から見て、円錐形にテーパー状形成されている。トッププレートエリアでは、スプリングエレメントの直径は50ｍｍ〜６０ｍｍであること好ましい。
図２は、本発明に係る、支持エレメントの平面図である。
トッププレート２に加工されたスルーホール６は、特に、例えば、マットレスで就寝中の換気に役立つ。該スルーホールは、換気効果を良くするために、支持エレメント１の上部に置かれる。このようなスルーホールの機能が明確に理解される。
本発明に係る、支持エレメントの個々の部品は、図３に示されている。図３から、トッププレート２、スプリングエレメント３そして接続エレメント４が明確に解かるであろう。
接続エレメント４は、プラグ状に形成され、基体８と、その上に配置された円周形状のリム９とよりなる。支持エレメント１をキャリアプレート１６上で交換可能な配置とするため、接続エレメント４は、交換可能に、対応するキャリアプレートに形成されているレセプタクル１７に挿入される。
接続エレメント４のリム９は、図４から解るように、キャリアプレート１６に接続エレメント４を取り付け支持するためである。
さらに、接続エレメント４には孔１０があり、トッププレートから離れているスプリングエレメント３の端部を該孔に、好ましくは交換可能の方法で、挿入する。キャリアプレート１６に支持エレメント１をトーションプルーフ(捻れが少ない)で確実に取り付けるために、接続エレメント４は、スプリングエレメント３およびキャリアプレート１６の両方にトーションプルーフな方法で取り付けられる。
スプリングエレメント３は、螺旋状に形成されたスプリング本体１１と、基部７と、基部７に取り付けられ、対応する接続エレメントの孔１０に合うように形成されたピン１２から構成されている。
【００４７】
図５から明らかなように、スプリングエレメントの基部７は接続エレメント４により支えられように取り付けられる。
トッププレート２は、好ましくは押し出し成型された、成型エレメント１５より成る。台から離れている側の成型エレメント１５上には、トッププレート２にスプリングエレメント３をトーションプルーフにとりつけるため、レセプタクル１３が、設けられている。レセプタクル１３の寸法に関しては、スプリングエレメント３のスプリング本体１１を形成する、連続した螺旋体（ヘリカルスレッド）がぴったり合うように定める。このようにして、スプリングエレメント３を、一定の力で、確実に、トッププレート２へ差込むことができる。
スプリングエレメント３をトッププレート２にしっかり固定するため、レセプタクル１３は接続手段として接続片１４を備えている。
これらの接続片は、一方の側のトッププレート２および他方の側のスプリングエレメント３と交換可能に取り付けられるように、形成されていることが好ましい。例えば、前記接続片は、ラッチまたはクリップ型に形成することができる。
上述した、接続エレメント４をキャリアプレート１６に取り付ける方法は図４に示されている。
図４において、キャリアプレート１６の上に載せられている接続エレメント４のリブ９がはっきり見える。さらに、スプリングエレメント３のピン１２が挿入される、接続エレメント４の孔１０も示されている。
図１は、スプリングエレメント３に接続エレメント４を取り付ける状態を示す。、この下側から見た斜視図から、孔１０に挿入されたスプリングエレメント３のピン１２のピン端５が識別できる。
図５および図６は、支持エレメント１が最終的にキャリアプレート１６上に配置される状態を示している。
使用されるキャリアプレート１６のサイズにもよるが、キャリアプレート１６には、複数の支持エレメントが装着でき、その場合、好ましくは、支持エレメント１をキャリアプレート１６上に整列配置する。
スプリングエレメント１８は、図７〜図１１に示すように、上部分１９と基礎部分２０を備えている。スプリングアーム２１は、上部分１９と基礎部分２０との間にあって、上方向２７に伸張する。
全体として、２つのスプリングアーム２１が、基礎部分２０から上部分１９に向かって、螺旋状に伸張する。
本発明によれば、スプリングエレメント１８はプラスチックから成り、ワンピースで形成する。
図９から明らかなように、基礎部分２０は、Ｓ字型に形成する。
それは、スプリングアーム２１の基礎部分２０側の二つの端部エリア３０に接続されている。
また図９から明らかなように、上部分１９は、年輪形に形成される。
二つのスプリングアーム２１は、基礎部分２０から立ち上がり、内周側の上部分１９で共に合流する、
スプリングアーム２１の上部分１９側の二つの端部エリア２９は互いに反対側に配置され、上部分１９を支える。
図７、図８に示すスプリングエレメントの側面図から明らかなように、２つのスプリングアーム２１から形成されるスプリング本体２２は、上部分１９から下方へ、円錐形にテーパーが付けられた形となっている。
２つのスプリングアームの螺旋の捻れは各々３６０度である。これにより、
スプリングアーム２１の上部分１９側の二つの端部エリア２９およびプリングアーム２１の基礎部分２０側の二つの端部エリア３０は、それぞれ、上部分１９および基礎部分２０において互いに反対側に配置される。
上述したスプリングエレメント１８の実施態様は、その適用分野の要求に合った形で各々設計することができる。
したがって、例えば、スプリングアーム２１の螺旋の捻れを３６０度以上又は３６０度以下にしても構わない。
【００４８】
また、スプリング本体２２は、２つよりさらに多くのスプリングアーム２１から形成してもよい。たとえば、３ないし４個のスプリングアームを連結した設計であてもよい。
図７〜図１１に示されているスプリングエレメント１８は、寸法を正確に表現しているものではない。上部分１９の年輪形状部の外形ＤＡは、ＤＡ≒11ｃｍが好ましい。勿論、適用分野により外径が異なることはいうまでもない。スプリングエレメント１８の高さ方向２７の長さＬＨは、ＬＨ≒
５ｃｍが好ましい。適用分野により、ＬＨの値が3ｃｍ〜７ｃｍの範囲ということも当然考えられる。
【００４９】
本発明に係るスプリングエレメント１８は、その寸法が小さいこと及び多方面の適用可能性が特徴である。該スプリングエレメントは、下記のような弾性基体として使用される。すなわち、椅子などの座るための家具、ベッドなどの横たわるための家具、乗用車や貨物自動車などの座席、ガーデンやキャンピングの備品、マッサージその他看護用の備品など等である。
前記スプリングエレメントは、容易に取り付け、取り外しができ、また対候性、耐腐食性があり、さらに水で容易に洗うことができる。
本発明の他の実施例として、スプリングエレメント１８を、例えば、図１３に示すように、上部側に配置されているトッププレート３２の支持面に結合する。
トッププレートへのスプリングエレメント１８のトーションプルーフな取り付のために、図示してない凹部が、輪状の上側部分１９の外周にあてがわれる。
トッププレート３２に取り付ける場合、トッププレートのスプリングエレメントに対応して形成された保持溝に、スプリングプレートを嵌合する。このようにして、トッププレート３２に対するスプリングエレメント１８の相対的な捻れを、防ぐことができる。本発明の別な実施例によれば、複数のスプリングエレメント１８を、１つの同じトッププレート３２に取り付けることができる。
スプリングエレメント１８は、好ましくは、所謂、差し込み(ＢＡＹＯＮＥＴ  ＣＡＴＣＨ)方式でトッププレート３２に接続される。この目的のために、上側部分１９は、長手方向に対し、異なる断面を持つよう形成されたスルーホール２４を備えている。図１０から明らかなように、トッププレート３２上に対応して形成されたが保持エレメント２３を、後ろから埋め込むことができように、スルーホール２４内に切り込み３１が形成されている。  
【００５０】
このようにして、スプリングエレメント１８とトッププレート３２との間に、何時でも取り外せるフォーストランスミッシヨン(力伝達)接続が構築することができる。
図１０から明らかなように、ラッチ手段部２６は、スルーホール２４エリアでかつ、上側部分１９のボトム側に備えられる。これらのラッチ手段部は、スルーホール２４に挿入される保持エッレメント２３をしっかり確保する。このことにより、スプリングエレメント１８とトッププレート３２との接続が、意図に反して外れることを防止できる。
補強リブ２５が、補強の目的で、上側部分１９のボトム側２８に設けられる。
模範的な図１１の実施例によれば、合計３個の補強リブが取り付けられている。
一方では、各スルーホール２４が補強リブ２５により囲まれており、他方では、補強リブ２５が、上側部分１９の外縁に備えられている。
本発明の他の実施例によれば、スプリングエレメント１８は、例えば、図１３に示すような支持構造体に取り付けられる。
本発明の目的のため、前記支持構造体３３は、スプリングエレメント１８を取り付ける上でふさわしいものである。
【００５１】
上記の実施構造としては、ライイングサーフエースエレメント、軸組構造（フレームワーク）、スレート引きフレームなどが挙げられる。
スプリングエレメント１８は基本部分の前記支持構造体３３側に取り付けられる。この目的のため、前記基本部分２０は、例えば、ピン型のエクステンションに形成された、対応する接続エレメント３４のように設計される。
支持構造体３３は、ピン型エクステンションを挿入する凹部を備えている。
上記取り付けは、ピン型エクステンションが円形状基準から離れた断面を持つように形成されることにより、トーションプルーフに実現できる。
勿論、一方のスプリングエレメント１８と他方の支持構造体３３の間の別な接続方法も考えられるが、しかしながら、上記のような接続は以下のような利点がある。すなわち、容易な方法で取り付け、取り外しができ、組み立ておよび取り外しが楽であるという利点がえられる。さらに、もし望むなら、クリーニングの目的で、スプリングエレメント１８は支持構造体から分離できるように、この接続は取り外し可能となっている。支持構造体３３により一列および／又は対称的に保持された数複数のスプリングエレメント１８を取り付けるために、支持構造体が好ましくは用いられる。その後、スプリングエレメント１８は、最初に接続エレメントとして使われるエクステンションと共に、スリーブ状ボディ３６に挿入される。接続エレメント３４の側面には、図７に「筋かい」３７としてみられるような、補強リブが取り付けられる。
【００５２】
図１３から明らかなように、凹部３５およびスリーブ状ボディ３６は、接続エレメント３４（それに取り付けられている筋かい３７を含み、かつ筋かい３７に適応したスロット形状の広がりを有する）の断面と対応して形成される。
接続エレメント３４をスリーブ状ボディ３６に挿入するとき、該スリーブ状ボディが、接続エレメント３４の筋かい３７いよって、広がるので、結果として、スプリングエレメント１８と支持構造体間はしっかりと接続される。さらに、この設計は、次のことを明確に実現する。すなわち、スリーブ状ボディ３６を、ト接続エレメント３４および凹部３５の両方に、トーションプルーフで接続することができる。さらにその上、支持構造体３３にスプリングエレメント１８を位置的に安定して取り付けるため、スリーブ状ボディは、凹部３５にプッシュインまたはプレスインで挿入できる弾性体で形成されることが好ましい。
この目的のため、スリーブ状ボディ３６は、凹部３５よりも僅かに大きい直径
寸法にする。その上、凹部３５とスリーブ状ボディ３６の幾何学的設計は、スプリングエレメント１８が通常の手動操作で取り付け、取り外しができるように、互いに合うかたちに、形成される。従って、何の道具も必要としない。
スプリングエレメント１８とトッププレート３２から成るスプリングモジュールの分解図が図１３に示されている。さらに、図１３は、支持構造体３３へスプリングエレメント１８を取り付ける働きをする支持構造体３３とスリーブ状ボディ３６を示している。
図示していないが、典型的な実施例として、スプリングエレメント１８は、直接支持構造体３３に取り付けることもできる。この典型的な実施例によれば、スプリングエレメントの基本部分２０は、スプリングエレメント１８を支持構造体３３に固定するため、例えば、スクリューやリベットが固定手段として利用できるように、凹部や孔が設けられる。
上記設計は、例えば、「座わる」または「横たわる」という機能を持つ家具、特にガーデンやアウトドアの備品に適している。
上記の「座る」あるいは「横たわる」ための表面シートを形成するため、複数のスプリングエレメント１８が、例えば、プレート状の基体やスレートから成る基体の支持構造体３３上に密に配列される、前記スプリングエレメント１８は前記支持構造体３３に、スクリュー、リベットあるいはその他の方法で接続される。
本実施例によれば、プレーンな支持面を創り出すために、スプリングエレメント１８の配列は密となるので、スプリングエレメント１８の上側部分は、比較的小さな外径、例えば、5ｃｍに構成される。
スプリングエレメント１８は、成型品などの介在物を入れることなく、スプリングエレメント１８の上側部分１９に横たわる布で直接覆われる。
特に、アウトドア用に覆う布は、水で洗うことが出来ることが望ましい。
先に述べたような典型的な実施例では、「寝または座る」シートの表面は、特にアウトドアのアプリケーションに適した、容易に洗うことができ、また耐耐性を有すように創られる。
【００５３】
さらに加えて、非常に軽く、それゆえ容易に持ち運びできる。
他の利点は、次のことである。すなわち、スプリングエレメント１８は、表面が換気性のある材料で覆われているので、長時間、座ったり、横になったりした場合の発汗を防止することができる。
本発明に係る他のスプリングモヂュールを図１２に示す。ここで示されたスプリングモヂュールは、二つのスプリングエレメント１８より成り、それらは互いに基礎部分側で接続されている。また、図１２に示された二つのスプリングエレメント１８の上側部分は、図１３のように、各々１つのトッププレート３２に接続される。
図１４、図１５は、隔離された位置にある本発明に係る受けエレメント３８を示している。図１４では、上から見た平面図で、また図１５では下から見た平面図で、それぞれ本発明に係る、受けエレメント３８を表している。
本発明に係る受けエレメント３８は、プラスチックから成り、ワンピースに形成される。本発明に係る受けエレメント３８は、プラスチック押し出し成型で製作されることが好ましい。
受けエレメント３８は、一方では、図１５から明らかなように、円形部分３９で形成され、他方では、表面部分４０がそれに取り付けられる。
図１５から明らかなように、円形部分３９は、マットレス、パッド等から離れた側にある受けエリア４５（その機能については後述する）を備えている。
受けエリア４５は、円形部分３９に取り付けられている円周状の鍔（カラー）６５（このカラーの機能も後述する）に囲まれている。
円形部分３９と２つの表面部分４０は、図１４から明らかなように、２つの補強リブ４１によって接続されている。
補強リブ４１が導入されている中央セクター４３は、円形部分３９内に設置されている。この実際の接続は、図１４，１５に示されている。
受けエレメント３８は、スルーホール４４を備えており、該スルーホールは、受けエレメントの上側に配置されているマットレス、パッド等の換気に役立つ。
上記のディシュスタイル（皿型）に形成されたプレート状の受けエレメント３８の構造は、その高い「寸法安定性」と「捻れこわさ」（トーションスチフネス）耐曲げおよび／又は捻れ伸張性に特徴がある。
マットレス、パッドその他同様に用いられるものに面する側の表面部分４０は、補強リブ４２を備えている。これらのリブは、受けエレメント３８のさらなる安定性に役立つのみならず、リブ４２は、また、受けエレメント３８上のマットレス、パッド等の相対的に安全な位置決めを確実にしてくれる。これらのリブ４２は、一方のマットレス、パッド等と他方の受けエレメント３８との間の望まない変位を防ぐ助けになるからである。
本発明によれば、受けエレメント３８は、例えば、スプリング弾性エレメントの形で図１６，１７に示めされるように、キャリアエレメント４６に交換可能に取り付けられる。この目的のために、受けエレメント３８は、前記した受けエリア４５をキャリアエレメント側に有するのである。組み立てると、この受けエリア４５は、対応するキャリアエレメント４６の形成部分に適合する形となる。
受けエレメント３８をキャリアエレメント４６に変位なく取り付ける目的で、受けエリア４５は、円周形のカラー(鍔)で囲まれており、該カラーは、一方の受けエレメント３８と他方のキャリアエレメント４６との間の相対的変位を防止する。キャリアエレメント４６上に受けエレメントをトーションプルーフに取り付けるために、図には明確に示していないが、受けエレメント３８にラッチ手段を講ずることが可能である。さらにまた、トーションプルーフに取り付ける目的で、受けエレメント３８とキャリアエレメント４６は、スクリューで一体に接続することができる。図１７の実施例に示すように、組み立てたとき、受けエレメント３８とキャリアエレメント４６は、支持エレメント５６を形作る。受けエレメント３８とキャリアエレメント４６から成る支持エレメント５６は、支持構造体50上に配置されているのが解る。この配置は、交換可能に設計されている。すなわち、必要に応じ、支持エレメント５６は支持構造体50からきり離し、また受けエレメント３８はキャリアエレメント４６からきり離すことができる
受けエレメント３８と支持構造体５０上のキャリアエレメント４６から成る支持エレメント５６の取り付けは、好ましくは、接続エレメント５２を挿入することにより実現する。この接続エレメント５２は、図１６から明らかなように、熱可塑性プラスチックから作られ、プラグ状に形成されることが好ましい。
また、図１６から明らかなように、例えば、スプリングエレメントとして設計されている、キャリアエレメント４６は、スプリング本体４７、基礎部４８、基礎部４８に取り付けられたピン４９から形成される。
既に述べたように、接続エレメント５２は、プラグ状に形成され、基礎本体５３とそれに取り付けられている円形状リム（縁）５４より成る。
支持構造体５０へ交換可能にキャリアエレメント４６を取り付ける目的で、接続エレメント５２は、支持構造体５０に対応するように形成された孔５１に、交換可能に挿入する。接続エレメント５２のリム５４は、図１６から明らかなように、支持構造体５０に接続エレメント５２を支持する役割をする。
一方、接続エレメントは孔５５を備え、キャリアエレメント４６のピン４９が、できれば交換可能に、該孔５５に挿入される。
キャリアエレメント４６を支持構造体５０にトーションプルーフに取り付けることを確実にするため、接続エレメント５２は、トーションプルーフな方法で、キャリアエレメント４６および支持構造体５０の双方に取り付けられる。
【００５４】
図１６に示す実施例では、キャリアエレメント４６は、螺旋状スプリング本体４７と基礎部４８、および基礎部４８に取り付けられたピン４９から成るスプリング弾性体エレメントとして形成され、前記ピン４９は、接続エレメント５２の対応する孔５５に挿入される。組み立て条件として、キャリアエレメント４６の基礎部分４８は、図１６に示すように、接続エレメント５２に対し、それ自体で支持するように取り付ける。
既に上述したように、受けエレメントは、押し出し成型された部品で形成されたエレメントルから構成されることが望ましい。
受けエレメント３８をキャリアエレメント４６に取り付けるため、受けエレメント３８は、キャリアエレメント４６に面する側に受けエリア４５を備えている。            
前記受けエリア４５の寸法に関しては、スプリング本体４７の連続した螺旋体を完全に収容できる大きさとする。このようにすれば、一定の力で、受けエレメント３８からキャリアエレメント４６へと導入することが確実にできる。
受けエレメント３８をキャリアエレメント４６に固定するため、受けエリア４５は、図示しない接続手段を備えることができる。
前記接続手段は、受けエレメント３８をキャリアエレメント４６に交換可能に接続できるように形成され手成る。
支持構造体５０上に接続エレメント５２を取り付ける、という上述した具体例を(その他も含まれているが)、図１７に示す。支持構造体の上部表面に配置されている接続エレメント５２のリムがはっきり見える。
さらに、キャリアエレメント４６は、接続エレメント５２に、図１７には示されていないピン４９により、先ず、挿入される。
図１７，１８は、受けエレメント３８にあてがわれるキャリアエレメント４６を示しており、該キャリアエレメントは最終的に支持構造体５０に取り付けられる。たとえば、図１９、図２０に示されるように、ベッドの表面（ライングサーフエース）を形成するよう設計される支持構造体５０には、そのサイズにより、受けエレメント３８にあてがわれるキャリアエレメント４６が複数個配置される。
その際、キャリアエレメント４６は、支持構造体の上に列をなして配置されることが好ましい。
前記配置の典型的な実施例を図１９および２０に示す。たとえば、ベッド（ライングサーフェース）に用いられる支持構造体５０が、これらの図から見てとれる。
ライイングサーフェース(寝床面)は、自明なことなので図示しないが、特に、病床および／又は看護ベッドの骨組み構造に適合される。
実施例として、ここに示された支持構造体５０は、足部分域５７、頭部分域５８、脚部分域５９、骨盤部分域６０から成り、個々の部分域５７，５８，５９，６０は、実施例の頭部分域５８に示すように、互いに対応するジョイント部６１，６２，６３を備えている。これにより、前記各部分域は、相対的にピボット状(軸回転可能)に配列されている。なお、前記頭部セクション５８は、他との比較において、少し直立している。
前記各セクション５７，５８，５９、６０は、マットレス側に取り付けられた支持エレメント５６を備えている。前記各支持エレメント５６は、受けエレメント３８とキャリアエレメント４６を持つ。
それら全体の中で、受けエレメント３８は、共通支持表面６４を形作るように、接近して、配置される。図２０の外観図に示すように、受けエレメント、例えば、受けエレメント３８をキャリーするキャリアエレメント４６は、好ましくは、長手方向および横断方向の両方向に整列配置される。
【００５５】
さらに、図１９から以下のことが明らかである。本発明の実施例によれば、頭部セクション５８のエリアでは、他のセクション５７、５９、６０とは、異なり、各受けエレメント３８は２個のキャリアエレメントにより支持される
図２１〜図２７は本発明に係るコネクタ６６の好ましい実施例である。
図２８，２９は、機能エレメント７９のの取り付け方法を示す。該機能エレメント７９は、スレートフレームまたは平板状基板として設計されたか基盤７８上のスプリングエレメントとして提供される。
図において、同じエレメントには同一の番号を付けている。図２１〜図２９で表現されている尺度は実際とは異なり、また、機能エレメント７９としてのスプリングエレメントの使用法は単なる例であり、本発明をこれに限定するものでないことは言うまでもない。
【００５６】
図２１は、本発明に係るコネクタ６６を示す斜視図である。
コネクタ６６はプラグ状部分６７を形成し、そこの高さ方向７７の上端にカラー（鍔）６８が形成されている。一方、カラー６８は、円形のシーリングリップ６９にあてがわれており、それは、コネクタ６６が取り付けられる時に、図２８に一例を示すように、基盤７８の上側に配置される。
プラグ状部分６７には二つの補強リブ７５があてがわれ、それらは、プラグ状部分６７の外円側に取り付けられて、外方向へ放射上に伸張する。
カラー６８の拡大断面図を図２７に示す。図から明らかなように、外円側のカラー６８は、コネクタ６６が組み立てられる時に、上述した方法で基盤７８の上側に配置されたシーリングリップ６９を包含している。
さらに、図２７から明らかなように、カラー６８は、基盤７８の反対側に配置されたシーリングひだ７０を有している。
シーリングリップ６９とシーリングひだ７０は、機能エレメント７９と基盤７８の間にいかなる液体も侵入しないようにする。このような設計は、不本意な液体の漏れを防止するのみでなく、基盤７８、コネクタ６６、機能エレメント７９
等を水で洗う際、使用する水が該基盤の底に達することなく洗浄できるという利点もある。
基盤７８上に機能エレメント７９を取り付けるために、コネクター６６を、基盤７８に設けられた凹部８２に先ず挿入しなければならない。この目的のために、
凹部８２とプラグ状部分６７とは、各々の対応する断面が互いに対になっている。
プラグ状部分６７に配置された補強リブは、一方では、前記プラグ状部分をトーションプルーフな方法で基盤７８に取り付けるのに役立ち、他方では、プラグ状部分曲げと捻れ張力の両方に抗する補強力を与える。これにより、基盤７８に設けられた凹部８２にコネクタ６６を正確に挿入することが容易にできる。
機能エレメント７９は、コネクタ６６の面する側に、接続エレメント８０を備えている。
この接続エレメント８０はコネクタの凹部７１に挿入される。
その結果、正確な位置決めの下で、機能エレメント７９を、基盤７８に安全に取り付けることができる。
【００５７】
この目的のために、凹部７１は、第１の部分７２と二つの第２の部分７３とを備え、前記第１の部分の形状は実質的に円形であり、他方、二つの第２の部分７３はスロット状に形成されている。組み立てに際しては、接続エレメント８０上に形成された広がり部に上記二つの部分７２が結合される。これにより、機能エレメント７９をコネクタ６６に、トーションプルーフに取り付けることができるのである。さらに、接続エレメント８０がコネクタ６６の凹部７１に挿入したらすぐ、コネクタ６６は、接続エレメント８０の拡張により、押し込まれる。
この押し込み（ｐｕｓｓｉｎｇ−ｓｐｓｒｔ）の作用で、プラグ状部分６７の補強リブが外方向に圧力を受け、それにより、基盤７８に設けられた凹部８２内で、プラグ状部分６７が確実に保持できるのである。それゆえ、補強リブ７５は、次の三つの機能をもたらしてくれる。（１）プラグ状部分６７を補強する。（２）基盤７８に設けられた凹部８２内で、プラグ状部分６７の取り付けをトーションプルーフにできる。（３）押し込み機能により、基盤７８に設けられた凹部８２内で、プラグ状部分６７が確実に保持できる。
カラー６８の対向端に、プラグ部分６７は、例えば、円形胴体状に形成された、ラッチ部７４を備えている。コネクタ６６を取り付ける時、図２９から明らかなように、ラッチ部７４は基盤７８の底に配置される。このような配置により、コネクタ６６が、基盤７８に設けられた凹部から、不本意に移動することを防止できる。
【００５８】
取り外しの目的から、ラッチ部７４を支えるプラグ状部分６７の端部は、容易に加圧でき、前記凹部８２から抜き取ることができる。ラッチ部７４の幾何学的寸法と、プラグ状部分６７の物質的特性とは互いに適合し、プラグ状部分６７は、何ら道具を使うことなく、単に指先の力のみで加圧することができる。
さらに、図２９から明らかなように、プラグ状部分６７は、カラー６８の対向端に円形状の溝７６が設けられている。取り付ける際は、前記溝７６を接続エレメント８０に形成された切り欠き部８１に付ける。その結果、機能エレメント７９を、コネクタ６６に、安定した位置でとりつけ固定できる。機能エレメント７９
は、それ故、コネクタ６６から、不本意に外れることがなく、機能エレメント７９を、基盤７８に全体として安定位置でしっかり固定できる。
図２８，２９に示す、典型的な実施例に従えば、機能エレメント７９は、スプリングエレメントとして、設計される。図２８は、スプリングエレメントのスプリングアームの部分断面を示している。基盤７８は、できれば、深く曲がる寝床面（ディープ  ドラウン  ライイング  サーフェース）として形成されるプラスチックから成る支持構造体であることが、好ましい。
コネクタ６６は、弾性材料できればプラスチックからなることが望ましい。
【００５９】
基盤７８の機能エレメントとして設計されたスプリングエレメントを取り付けるために、先ず、図２１〜２７に示すコネクタ６６が基盤７８の凹部８２に挿入される。高さ方向７７に、プラグ状部分６７は例えば、２〜６ｃｍ好ましくは5ｃｍの広がりを持っている。長手方向の広がりの正確な寸法は、それぞれ図２８に示すように、高さ方向７７における基盤７８の厚さ、および前記凹部８２により作られるドームの厚さに依存する。重要なことは次のことである。すなわち、一方では、ラッチ部７４基盤７８のボトム側にロック方式で配置するために、他方では、基盤７８の上側に施されるシーリング方式における、シーリングリップおよびシーリングひだを有するカラー６８のために、プラグ状部分６７は高さ方向７７における長手方向の広がりを持つということである。
コネクタ６６を基盤７８の凹部８２に挿入するとき、スプリングエレメントとして設計されている機能エレメント７９はコネクタ６６に挿入される。この目的のため、機能エレメント７９のコネクタ側に取り付けられたピン状エクステンション形状を有する接続エレメントがコネクタ６６の凹部７１に挿入される。その結果、接続エレメント８０をコネクタ６６の凹部７１に挿入した結果として、コネクタ６６は、僅かに押し広げられる。その結果として、補強リブ７５は基盤７８の凹部の円周側に加圧される。さらにまた、図２１，２２に示すように、補強リブはくさび状に形成することもできる。
ソファーやベッドなど表面積が大きな家具について、弾力的な支持層を形成するためには、スプリングエレメントとして設計された複数の機能的エレメント７９を基盤７８に配置すればよい。
【００６０】
基盤７８は複数の凹部８２を備え、該凹部８２へ本発明に係るコネクタ６６を挿入することにより、スプリングエレメントを配置するという目的を達成できる。
図３０は、本発明に係るデバイスの１実施例を示す。
パッディング、シッティングおよび／又はライイング家具のパッド(緩衝材)を提供するための本発明に係るデバイス８３は、隣接して配置された複数の支持エレメントから成る。支持エレメント８４を横断方向102互いにずらして配列するために、後述するように、各支持エレメント８４のパッドリセプタクル８６は、環状に形成され、また外側は6辺形の輪郭をもつ。
長手方向１０１には、支持エレメント８４は、少しのずれもなく配列される。
しかしながら、個々の支持エレメント８４の、ずらし配置は、長手方向１０１でもまた可能である。例えば、環状パッドリセプタクルの外側輪郭を6角以上にすればよく、何角形でも自由にデザイン可能である。
【００６１】
本発明に係るデバイスの他の典型的な実施例を図３１に示す。ここでもまた、本発明に係るデバイスは、互いにずらして配置された複数の支持エレメント８４から形成される。図30に示した実施例との対比において、図31に示されている支持エレメントは互いに相対的にスペースを空けて配置されている。該スペースの大きさは実施の形態により定めらことができる。
本発明に係る、デバイスであって、図３０，３１に示す実施例に適用可能な支持エレメント８４の第１の具体例を図３２に示す。該エレメント８４は一方では、スプリングエレメント８５を備え、他方ではパッドレセプタクル８６を備えている。ところで、スプリングエレメント８５は、基礎部分８９から螺旋状に広がる、2つのスプリングアーム８７，８８から形成されている。
基礎部分８９の反対側に位置するパッドレセプタクル８６はスプリングアーム８７および８８、すなわち、スプリングエレメント８５上に配置される。
図３２の実施例によれば、支持エレメント８４はワンピースで形成される。すなわち、スプリングエレメント８５はパッドレセプタクル８６と一緒に、ワンピースコンポーネントとして形成する。
図３２から解るように、また既に、図３１，３２で説明したように、パッドレセプタクル８６は、環状に形成され、外側は６角形の輪郭をもつ。他の実施例を図３３に示す。そこには、図３２，３３と対比して、五角形の輪郭をもつパッドレセプタクルを備えた支持エレメント８４が示されている。他の見地から、図３３に示す支持エレメント８４は図３２に示す支持エレメント８４と対応している。
図３２，３３に示すように、支持エレメント８４は、好ましくは、デバイス８３を作るために、図４２に示すように(詳細は下記に述べるが)端部を揃えて、互いに連結される。
図３２，３３に示すように、支持エレメント８４は、押し出し成型されたプラスチックでワンピースに形成される。プラスチック成型は、耐腐食性に優れている。
図３４〜３８は、支持エレメント８４を種々の視点から見た外観図である。
図から明らかなように、支持エレメント８４は、一方において、スプリングエレメント８５から成り、他方においては、パッドレセプタクル８６から成る。
上記に対比的に述べたように、図３４〜３８に示す支持エレメント８４は、一体に形成されるのではなく、スプリングエレメント８５とパッドレセプタクル８６は、むしろ分離された部品として構成され、それらは必要に応じて連結される。上記の利点は、スプリングエレメント８５とパッドレセプタクル８６とを各々異なった材料で構成できることにある。しかしながら、スプリングエレメント８５およびパッドレセプタクル８６はプラスチックから成り、プラスチックの押し出し成型部分から形成される。
【００６２】
図３７に示す実施例から明らかなように、スプリングエレメント８５とパッドレセプタクル８６の上に形成される接続手段が、前期スプリングエレメント８５およびパッドレセプタクル８６に提供される。すなわち、図に示すように、スプリングエレメント８５のスプリングアーム８７および８８は、それぞれ、一端に形成されたアイ部９０，９１としてのレセプタクルを備えている。これらのアイ部９０，９１は、挿通孔９４，９５をそれぞれ有している。ピン９２、９３は、挿通孔９４，９５に対応して形成され、図４０から明らかなように、パッドレセプタクル８６のスプリングエレメント側に取り付けられる。
取り付けの際、これらのピン９２，９３は、スプリングエレメント８５の前記孔９４，９５に装着され、それにより、位置的に安定して、スプリングエレメント８５にパッドレセプタクル８６を取り付けることができる。パッドレセプタクル８６のピン９２および９３は、ハウジング状レセプタクル９６および９７によって、各々囲まれている。前記レセプタクルは、支持エレメントを取り付ける際に、スプリングエレメント８５に結合されているアイ部９０，９１をそれぞれ収容する。スプリングエレメント８５およびパッドレセプタクル８６の不本意な離脱を防ぐために、レセプタクル９６，９７は各々、ラッチ片９８，９９を有する。
支持エレメント８４を取り付ける際に、該ラッチ片９８，９９はスプリングエレメント８５と一体になっているアイ部９０，９１の背部に装着される。
ラッチ片９８，９９は、スプリング弾性体であり、それゆえ、パッドレセプタクル８６は、例えば洗浄や修理等、必要に応じ、一体となっているスプリングエレメントからそれぞれ引き離すことができる。
図３９，４０は、支持エレメント８４の他の実施例を示す。これらの実施例は、図３４〜３８に示した例と実質的に対応している。スプリングエレメント８５のスプリングアーム８７，８８用のパッドレセプタクル８６上に形成された支持表面６４は、レセプタクル９６，９７のエリアのみに形成される。先に述べた実施例との差は、支持表面１０３が連続的に形成されていないという点である。
上述した実施例は、共通して次のことを示している。すなわち、支持エレメント８４上のスプリングエレメント８５は、２つの螺旋状スプリングアーム８７と８８、すなわち、二つの螺旋状設計体を備えている。他の実施例も勿論可能であり、例えば、３〜４個の螺旋状体を備えてもよいことは言うまでもない。
また、支持エレメント８４は、上述の各実施例に共通して、プラスチックから成り、プラスチックの押し出し成型部分から形成されているスプリングエレメント８５および／又はパッドレセプタクルを備えている。
支持エレメントをもう一方の側、例えば、キャリアフレーム、キャリアプレート、支持フレーム、スレート等に取り付けるため、各支持エレメント８４は、ピン状のエクステンション１００を備えている。そして、該エクステンションはスプリングエレメント８５および反対側に配置されたパッドレセプタクル８６と一体に形成されることが望ましい。ピン状エクステンション１００の設計態様は、図３５，３６，３７，３９，４０に示す。これらの図に詳細が示されていない対向側
は前記エクステンション１００に対応して形成された孔を備え、該孔に前記エクステンション１００を挿入することにより、支持エレメントを８４を安定した位置でしっかり取り付けることができる。トーションプルーフに取り付けるため、ピン状エクステンション１００は、その断面が円形から偏った形状となっている。
さらに、前記ピン状エクステンション１００が対向部に対応して設けられた孔から不本意に離脱することを防ぐため、ラッチ手段を講じてもよい。
【００６３】
本発明に係るデバイス８３の典型的な使用例、事務用椅子１０４を、図４１，４２に示す図４１から明らかなように、事務用椅子１０４は、座面１０５および背面１０６双方を支えるスタンド１０９を備えている。先に図面により説明した支持エレメント８４は座面１０５および背面１０６双方のパッド材料の詰め物として使われる。それによって、背もたれ面１０６の支持エレメント８４が本発明に係る第一のデバイスを形成し、座席面１０５の支持エレメント８４が本発明に係る第２のデバイスを形成する。
図４１の概略断面図から、座席面１０５と背もたれ面１０６双方の支持エレメント８４が、キャリアプレート１０７上にマウント（取り付け）されていることが明らかにわかる。前記キャリアプレート１０７は、それに取り付けられた支持エレメント８４を支持する。キャリアプレート１０７と支持エレメント８４を接続するために、キャリアプレート１０７は孔を備え、該孔に図示していない支持エレメント８４のピン状エクステンション１００を挿入する。他の実施例として、支持エレメントは、ねじ（スクリュー）、リベット、接着剤その他の方法でキャリアプレート１０７と一体化してもよい。本発明の唯一の特徴は、パッド材料１０８の詰め物として提供するという本発明に係るデバイス８３が、座席面１０５の支持エレメント８４と背もたれ面１０６の支持エレメント８４とを形成しているということにある。
図４１から明らかなように、本発明に係るデバイス８３によって、体積空間が、座席面１０５及び背もたれ面１０６とそれそれぞれ一体化されたパッド材料１０８の下に形成される。
前記体積空間が、パッド材料１０８の通気によい影響をもたらし、そのことが明らかに、特に長時間座っているときの座り心地を改善する。本発明に係るデバイス８３の他の特徴は、一体化された支持エレメント８４は、弾力特性を変える
ことのできるスプリングエレメント８５に形成することができる。
例えば、座席面１０５のスプリングエレメントは背もたれ面のスプリングエレメントより堅くできる。さらに、座席面１０５内と背もたれ面１０６内の弾性特性を変えても良い。このことは、たとえば、座席面１０５のデバイス８３の中央部分に配置された支持エレメント８４のスプリングエレメントを、デバイス８３の端部に配置された支持エレメントのスプリングエレメントより堅くすることにより、達成できる。
正しい位置に座ることができるように、座席面１０５にかかる負荷を変えることも考慮される。
キャリアプレート１０７上にスプリングエレメント８５を配置した例を、座席面１０５を上から見て描いた図４２に示す。図から解るように、支持エレメント８４のパッドレセプタクルは６角形の外輪郭を持っており、これによって、支持エレメント８４は、互いにずらして（千鳥状に）配列することができる。
図４２に支持エレメント１１０の使用例を示すが、デバイス８３の端を揃えるため、６角形のパッドレセプタクルの代わりに、５角形に形成されたパッドレサプタクルをエッジ側に挿入している。
【図面の簡単な説明】
【００６４】
【図１】図１は、本発明に係る、支持エレメントの斜視図である。
【図２】図２は、本発明に係る、支持エレメントの平面図である
【図３】図３は、本発明に係る、支持エレメントの分解図である
【図４】図４は、キャリアプレートに装着した接続エレメントの説明図である
【図５】図５は、キャリアプレートに装着した支持エレメントの側面図である
【図６】図６は、キャリアプレートに装着した支持エレメントの説明図である
【図７】図７は、スプリングエレメントの第１側面図である
【図８】図８は、スプリングエレメントの第２側面図である
【図９】図９は、スプリングエレメントの上から見た平面図である
【図１０】図１０は、スプリングエレメントの部分図である
【図１１】図１１は、スプリングエレメントの側面図である
【図１２】図１２は、スプリングモジュールの１実施図である
【図１３】図１３は、スプリングモジュールの第２実施例である
【図１４】図１４は、受けエレメントの上から見た平面図である
【図１５】図１５は、受けエレメントの下から見た平面図である
【図１６】図１６は、支持エレメントの分解図である
【図１７】図１７は、受けエレメントとを装着した支持エレメントの側面図である
【図１８】図１８は、支持エレメントを支持構造体に装着した説明図である
【図１９】図１９は、受けエレメントをベッドに装着した側面図である
【図２０】図２０は、図１９を上から見た部分図である
【図２１】図２１は、コネクタの説明図である
【図２２】図２２は、コネクタの第１の側面図である
【図２３】図２３は、コネクタの第２の側面図である
【図２４】図２４は、コネクタの上から見た平面図である
【図２５】図２５は、コネクタの第１断面図である
【図２６】図２６は、コネクタの第２断面図である
【図２７】図２７は、コネクタの図２６の一部拡大図である
【図２８】図２８は、機能エレメントの側面図である
【図２９】図２９は、図２８の一部拡大図である
【図３０】図３０は、デバイスの第１の応用例である
【図３１】図３１は、デバイスの第２の応用例である
【図３２】図３２は、支持エレメントの透し図である
【図３３】図３３は、支持エレメントの説明図である
【図３４】図３４は、支持エレメントの平面図である
【図３５】図３５は、支持エレメントの側面図である
【図３６】図３６は、支持エレメントの斜視図である
【図３７】図３７は、支持エレメントの説明図である
【図３８】図３８は、支持エレメントの説明図である
【図３９】図３９は、支持エレメントの説明図である
【図４０】図４０は、支持エレメントの説明図である
【図４１】図４１は、デバイスの応用例を示す説明図である
【図４２】図４２は、デバイスの応用例を示す説明図である
【図１】
2007511263.tif 000003
【図２】
2007511263.tif 000004
【図３】
2007511263.tif 000005
【図４】
2007511263.tif 000006
【図５】
2007511263.tif 000007
【図６】
2007511263.tif 000008
【図７】
2007511263.tif 000009
【図８】
2007511263.tif 000010
【図９】
2007511263.tif 000011
【図１０】
2007511263.tif 000012
【図１１】
2007511263.tif 000013
【図１２】
2007511263.tif 000014
【図１３】
2007511263.tif 000015
【図１４】
2007511263.tif 000016
【図１５】
2007511263.tif 000017
【図１６】
2007511263.tif 000018
【図１７】
2007511263.tif 000019
【図１８】
2007511263.tif 000020
【図１９】
2007511263.tif 000021
【図２０】
2007511263.tif 000022
【図２１】
2007511263.tif 000023
【図２２】
2007511263.tif 000024
【図２３】
2007511263.tif 000025
【図２４】
2007511263.tif 000026
【図２５】
2007511263.tif 000027
【図２６】
2007511263.tif 000028
【図２７】
2007511263.tif 000029
【図２８】
2007511263.tif 000030
【図２９】
2007511263.tif 000031
【図３０】
2007511263.tif 000032
【図３１】
2007511263.tif 000033
【図３２】
2007511263.tif 000034
【図３３】
2007511263.tif 000035
【図３４】
2007511263.tif 000036
【図３５】
2007511263.tif 000037
【図３６】
2007511263.tif 000038
【図３７】
2007511263.tif 000039
【図３８】
2007511263.tif 000040
【図３９】
2007511263.tif 000041
【図４０】
2007511263.tif 000042
【図４１】
2007511263.tif 000043
【図４２】
2007511263.tif 000044
【誤訳訂正書】
【提出日】平成18年8月29日(2006.8.29)
【誤訳訂正１】
【訂正対象書類名】明細書
【訂正対象項目名】全文
【訂正方法】変更
【訂正の内容】
【発明の詳細な説明】
【技術分野】
【０００１】
この発明は、トッププレートと、その上に装着され、外観が円錐形の螺旋状に形成したスプリングエレメントより成る、支持エレメント(サポートエレメント)に関するものである。
さらに、本発明は、スプリングエレメント、トッププレートおよびファンクショナルエレメント、特に、支持エレメントを基盤に装着するコネクタに係るものである。
上記の支持エレメントは既に公知である。たとえば、該エレメントは、マットレスやパッド等の設備に弾力性を与える。すなわち該エレメントのトッププレートを、マットレス側に配置することにより、該トッププレートでマットレスを支えマットレスやパッドに弾力性を与えることができる。
マットレスから離れたトッププレート側には、それに装着さられたスプリングエレメントが配置され、該スプリングエレメントは、支持フレームに抗してトッププレート自体を支える。
上記支持エレメントは、例えば、ＥＰパテント（ＥＰ０９９６３４９ＢＬ）により公知である。ここに述べられている支持エレメントは、射出成型部品として形成され、スプリングエレメントと一体に形成された支持皿（サポートディシュ)を備えている。スプリング
エレメントは板ばね（リーフスプリング）として形成され、基本体から立ち上がり前記支持皿に接続される支持アームを備え、見かけ上、基本体から直接立上がっているように見える、該アームは、対称的に１２０度〜９０度の回転角で、基本体に取り付けられている。
【解決しようとする課題】
【０００２】
個々の支持アームの不本意なスプリングの偏りを防ぐため、各支持アームは同一のスプリング定数を持つ。
前記ＥＰ０９９６３４９ＢＬで開示された支持エレメントは、複雑な構造のため、残念ながら製造コストが高い。さらに、前記支持皿にかかる負荷が一定でないため、個々の支持アームが過負荷となり、それが引き金となって、支持エレメント全体が好ましくない機能障害を起こす場合があった。
螺旋状に形成されたスプリングエレメントを備える支持エレメントは、例えば、ＤＥ６７７６５ＣおよびＤＥ１０４４４７Ｃに記載されているように公知である。        
ここに述べられている支持エレメントに用いられるスプリングエレメントは、１本の弾性スプリングから成り、鋼で構成されている。このスプリングエレメントの欠点は、次のことである。すなわち、力が中心にかからないとき、スプリングエレメントは、悪いことに、所定位置を外れ、先端が横に振れる。さらに、時間と共に、弾性体の心地よさが損なわれるという欠点があった。
【発明の開示】
【課題を解決するための手段】
【０００３】
上述した従来の技術に鑑み、本発明の第１の目的は、前述した欠点を取り除いた支持エレメントを創造することにあり、一方、シンプルで製造コストが安く、信頼性が要求される用途に適用でき、また、長期間の使用に耐える支持エレメントを提供することにある。さらに、本発明の主たる目的は、スプリングエレメント、トッププレート、コネクタを提案することにある。
【０００４】
支持エレメントに関するこのような課題は、次のようにして解決できる。すなわち、トッププレートおよびスプリングエレメントをプラスチックで構成し、スプリングエレメントは複数の螺旋体を備えた構成とする。従来技術の支持エレメントと比較して、本発明に係る、支持エレメントは、トッププレートに取り付けられたスプリングエレメントを備え、該スプリングエレメントは螺旋状に形成されると共に、その断面積に応じたテーパーが付けられ、それにより、該テーパーはトッププレートからスタートして、支持面から離れた端部にかけて円錐形の広がりを持つことを特徴とする。
製造コストは、これにより最小に押えられる。さらに、有益なことは、この構造により、支持エレメントに偏った力がかかるような極端なアプリケーションでも安全に対抗できることである。
【０００５】
本発明に係る、支持エレメントは、それ故、ベッド、マットレスのような基盤に適している。例えば、病気など、長期の連続使用または、介護エリアでの使用に適している。そのような場所で、従来の板ばねで構造では、不幸にも、たまに起きていた、ベッド側での機能的欠陥が、本発明では改良されたのである。
さらに、本発明に係る、機能エレメントは、従来のものに比べて、洗浄が大変容易であり、これは病棟および／又は、介護エリアで使用するとき、大きな利点となる。
本発明に係るスプリングエレメントは、複数の、例えば、２〜４個の螺旋体を備える設計であってもよい。前記スプリングエレメントが複数の螺旋体を備えることにより、前記支持エレメント全体としての寸法安定性が向上する。
さらに全てのスプリングエレメントの螺旋体は、単に１つのレセプタクルのみにより、支持エレメントのトッププレートを装着することが望ましい。
その理由は、不規則な偏った力、すなわち、トッププレートに１方向からのみ、力がかかるようなアプリケーションであっても、該力が前記スプリングエレメントの全ての螺旋体に分散してかかるからである。
【本発明の効果】
【０００６】
このようにして、スプリングエレメントの個々の螺旋体にかかる過度の張力を、確実に分散することができる。複数のスプリングエレメントの螺旋体の構成形体、つまり、スプリングアームはさらに下記の利点を持っている。すなわち、支持エレメントにかかる全支持力を、使用されている複数のスプリングエレメントの螺旋体により、分散でき、換言すれば、支持エレメントを支持している構造体へ、力を逸らすことができる。
【０００７】
スプリングエレメントは、トッププレートに交換可能に取り付けることが望ましい。このようにすれば、例えばクリーニングのために、トッププレートとスプリングエレメントを互いに引き離すことができる。
さらに、一方のスプリングエレメントと他方のトッププレ−トとを二つに分けた設計は、それぞれを異なる材料で作ることができるという、利点がある。
このことは、単にコストを下げるという利点だけでなく、この方法によって、一方のスプリングエレメントと他方のトッププレ−トとで、異なった機能的要求があった場合でも、適切な材料の選択により、解決することができるという利点もある。
この接続方法により、たとえば、異なった寸法で設計されたトッププレートを、モジュラー(組み立て)方式で、スプリング定数、弾性力、スプリングピッチ等が違う種々のスプリングエレメントに連結することができる、という顕著な利点がある。
すなわち、低コストの製造費用にも拘らず、さらに、上記のように、個々の調整要求をも考慮することができるのである。
【０００８】
本発明の他の提案によれば、スプリングエレメントをトーションプルーフ(捻れが少ない)な方法で、トッププレートに取り付けらことができる。これにより、一方のスプリングエレメントおよび他方のトッププレート間の、不本意な捻れを、防止できるという利点がある。
本発明によれば、スプリングエレメントはプラスチックまたは金属で作られる。特に、コストを考慮するなら、スプリングエレメントを射出成型されたプラスチック部品として形成すればよい。
本発明の他の特徴は、トッププレートが、例えば、長方形のスルーホールを備えていることにある。このことは、単に、材料の削減による重量の減少のみならず、トッププレートの寸法安定性を改良する、という効果をもたらす。
さらに、スルーホールは、例えば、トッププレートの一端にある支持エレメントにより支えられているマットレス、パッド等寝具の通気性を高める効果がある。  コスト面から、トッププレートは、射出成型部品として形成したプラスチックで成型することが望ましい。
【０００９】
本発明の他の特徴は、スプリングエレメントをキャリアプレートに固定する目的で、接続エレメントを、前記トッププレートと反対側の前記スプリングエレメントに装着することにある。接続エレメントは、それ故、一方でトッププレートを支えるスプリングエレメントと、他方で支持エレメントに適合スルキャリアプレートとの間を接続する部材として働く。
本発明の第１の目的によれば、スプリングエレメントと接続エレメントは、ワンピースとして一体に形成することができる。この方法は、コスト的に利点がある。
本発明の他の提案としては、接続エレメントは交換可能にスプリングエレメントに装着される。一方の接続エレメントと他方のスプリングエレメントという、２部分構成は、各々の特性に対応して、異なった材料で作ることができる、という利点がある。接続エレメントとスプリングエレメントとの２ピースの設計により、接続エレメントは、支持エレメントをキャリアプレートに装着するために、スプリングエレメントとキャリアプレート間の、中間部材としての役割をする。このために、接続エレメントは、スプリングエレメントおよびキャリアプレートの双方に交換可能に装着することが望ましい。洗浄の目的で、スプリングエレメントは、接続エレメントから取り外すことができ、また接続エレメントはキャリアプレートから引き離すことができる。キャリアプレートから支持エレメントが不本意に捻れ移動することを防ぐため、支持エレメントはトーションプルーフな方法でキャリアプレートに接続される。このため、接続エレメントは、スプリングエレメントおよびキャリアプレート双方にトーションプルーフな方法で装着される。
【００１０】
本発明の他の特徴は、接続エレメントはプラグ状に形成され、好ましくは熱可塑性プラスチックから成る。この方法の利点は、以下の通りである。接続エレメントは、密封方式で、キャリアプレートの対応するレセプタクルに挿入される。さらに、熱可塑性樹脂の弾力性により、接続エレメントをキャリアプレートに対応して設けられたレセプタクルに、安定した位置決めで、スクリューなどの道具を使うことなく確実に挿入できる。それゆえ、接続エレメントは、着脱自在に、何の道具も使用せず、キャリアプレートに装着できる。その上、接続エレメントは、もし振動が発生しても、ノイズを絶縁して、キャリアプレートに接続できる。
【００１１】
本発明の更なる提案は、キャリアプレートが、支持エレメントの接続エレメントに対応して形成されたレセプタクルを備えることにより、後述するように、キャリアプレートを支持エレメントに容易に接続できることである。
捻れ防止のため、接続エレメントの断面は完全な円でなく、楕円形または多角形に形成されている。キャリアプレートに設けられたレセプタクルは、接続エレメントの断面に対応して形成されている。
本発明の他の特徴によれば、キャリアプレートは、一列に配列された複数のレセプタクルを備えることが望ましい。この方法で、キャリアプレートに複数の支持エレメントを装着することができる。キャリアプレートのサイズにもよるが、多くの支持エレメントを装着しようとするときは、列に並べることが好ましい。
洗浄と軽量化のために、キャリアプレートはプラスチックで形成することが望ましい。さらに、本発明は、ベッド特に、病棟や介護センター向けに提案される。
そこでは、後述するように、キャリアプレートにより形成された寝床から成るベッドが使用される。上述したように、複数の支持エレメントが、キャリアプレートのマットレス側に装着される。これにより、本発明の特徴である、互いに可動配置された複数のキャリアプレートを備えたベッドが提供される。勿論、支持エレメントが装着されたキャリアプレートは、寝椅子、マッサージマット等の用途に使う寝床、ベースに利用できる。
上述したように、本発明の支持エレメントは、交換可能に、ベッドの寝床面を形成する、キャリアプレートに装着できる。これにより、特に、洗浄の際、必要に応じ、サポートエレメントを取り外すことができる。
【００１２】
さらに、弾力性の異なる支持エレメントを有するゾーンを、寝床面に設けることにより、利点を生み出すことができる。
使用されている支持エレメントに適用されるスプリングエレメントにより、寝床面のスプリングの心地よさレベルを変えることができる。
これは、病院や介護エリアで、特に有効である。すなわち、病院や介護エリアの患者の個々の願いを満たしてくれるからである。
スプリングエレメントに関する上記課題を解決するために、本発明では、
少なくとも２つの渦巻状、および／又は螺旋状のストリップエレメントを備え、射出成型部品として形成したプラスチックより成る、スプリングエレメントであって、前記ストリップエレメントは、外力が与えられた際、弾力作用（スプリング効果）で反応し、かつ、前記ストリップエレメントの幾何学的形状および／又は材料を適切に選択することにより、該ストリップエレメントのスプリング効果が前もって決定されていることを特徴とする、スプリングエレメントを提供する。
【００１３】
本発明の構造面からは、先ず、プラスチックから成るスプリングエレメントが提案される。該エレメントは、少なくとも２つの渦巻状、および／又は螺旋状のストリップエレメントを備えている。スプリングエレメントに外力が与えられた際、ストリップエレメントは、弾力作用（スプリング効果）で反応し、かつ、前記ストリップエレメントの幾何学的形状および／又は材料を適切に選択することにより、該ストリップエレメントのスプリング効果、例えば、時代の流行らを考慮して、前もって決定されていることを特徴とする、スプリングエレメントを提供する。上記は、スプリングエレメントの多目的利用を可能にする。
【００１４】
本発明で幾何学的選択をすることは、ストリップエレメントの幾何学的形状はアプリケーションから予想できる力に対し、適切に調整され、結果として、所望のスプリング効果が達成される。このため、一方において、スプリングエレメントの長手方向および横断方向の広がり、断面形状等が、他方において、渦巻状または螺旋状に形成されたスプリング本体の幾何学的設計が前もって決定される。それゆえ例えば、スプリング本体は、円錐形のテーパー状外観を持つよう設計される。
スプリング本体は、また、実質的に円筒形であってもよい。
【００１５】
本発明の他の特徴は、上記の具体的な幾何学的形状は、アプリケーションの要求により設計される。もし、経済的な生産を要求されれば、射出成型部品として形成したプラスチックより成るスプリングエレメントが提供される。
スプリングエレメントの幾何学的条件を予め決めることは、該エレメントを有効に多様化することであり、幅広い応用面を創出できる。本発明の目的である材料の選択とは、ストリップエレメントの形成に際し、実稼動中に該エレメントが受ける力を調整することのできる、材料特性を備えたプラスチックを選ぶということである。
結論として、使用されるプラスチック材料は、一方において、十分な機械的強度をもち、他方では、所望のスプリング力を有することが必要である。さらに、上記材料は、耐腐食性をもち、かつ、保守や洗浄に対し化学的に反応しないことが必要である。簡易なスプリングエレメントと比較して、本発明のスプリングエレメントは下記のさらなる利点がある。すなわち、製造時、組み立て時の軽量化、操作性、経済性といった点である。
本発明の他の特徴は、ストリップエレメントをワンピースで形成することである。このため、ストリップエレメントは、射出成型部品として形成される。ワンピースで形成する利点は２つのストリップエレメントを接続する必要がないことである。製造時に直接、スプリングエレメントとして成型できる。これは、製造および組み立てを経済的にできるという、効果をもたらす。本発明の他の特徴は、ストリップエレメントを渦巻状または螺旋状に、同方向に形成することである。
【００１６】
さらに、ストリップエレメントは互いにずらして、渦巻状または螺旋状に形成し、使用中、スプリングエレメントにかかる力を均一にすることができる。
さらに、上記エレメントを、曲げや捻れに強い設計とすることができる。
本発明の他の特徴によれば、ストリップエレメントは複数の本体エレメント（マルチボディエレメント）から成る。マルチボディエレメントとは、互いに接続された異なったボディエレメントを形成したものである。たとえば、各ストリップエレメントは、第２のプラスチックで包むことにより囲まれた第１のプラスチックで作られる。予想されるアプリケーションで受ける力により、ストリップエレメントのある部分は異なったボディとして形成される。例えばストリップエレメントは、長手方向に沿って変化するボディエレメントから成る。そこでは、ボディエレメントは、幾何学的にまた材料的に変えることが可能である。たとえば、ストリップエレメントは長手方向にテーパーが付けられている。テーパーは連続的でも段階的であってもよい。さらに、ストリップエレメントは補強リブを備えてもよい。
【００１７】
本発明の他の特徴は、ストリップエレメントの断面は円形から偏ってもよいことである。長方形の断面も考えられ、それは曲げに対して強いという利点がある。
また、上記断面の一端をオープンに、例えば、Ｕ字型断面に形成することができる。これにより、高い「曲げこわさ」と低い「捻れこわさ」とを特徴付けることができる。軽量化のため、中空の断面もまた考えられる。
さらに、長手方向にそって、断面を変化させることもできる。長手方向に縮小して構成した場合、長手方向にテーパーが付けられることになる。さらに、中心エリアのみにおいてスプリングエレメントにテーパーを付ける、断面形状であってもよい。
【００１８】
さらに本発明は、スプリングアーム、基礎部分および前記基礎部分の高さ方向の反対側に位置する上側部分から成る、２つの渦巻状あるいは螺旋状に形成したストリップエレメントを備えた、スプリングエレメントであって、前記、基礎部分、上側部分、およびスプリングアームは、何れも、射出成型部品として形成したプラスチックより形成されることを特徴とする、スプリングエレメントを提供する。このような方法で設計されたスプリングエレメントは、コンパクトな構造に形成される。それは、ワンピースに一体形成される設計が望ましく、また取り扱いが容易なプラスチックから成ることが好ましい。
スプリングエレメントは、スプリングアームとして働く、２つのストリップエレメントから形成される。該スプリングアームは、前記基礎部分から立ち上がって高さ方向に広がり、好ましくは螺旋形で、基本部分と反対側に位置する前記上側部分に接続される。前記上側部分は、好ましくは円形の年輪状に形成され、それによって、スプリング側の端部を上側部分の内周面に装着する。
【００１９】
本発明に係る、スプリングエレメントは、最も価値のある目的に有効に使用される。例えば、ベッド、マットレスのベースとして使用される。
適用されるベッド、マットレスのサイズにもよるが、複数のスプリングエレメントが使用される。それらは、順序よく列に配置され、支持弾性体として、ベッド、マットレスの共通の支持表面を形成する。スプリングエレメントは、支持構造体、例えば、スレート形成されたフレームによって支えられる
前記支持構造体は、また個々の寝床表面（ライイングサーフエース）として形成され、その場合、該支持構造体は、互いに、又は他の方法で、移動可能に配置される。本発明に係る、スプリングエレメントはユーザにより使われる支持構造体から独立している。
【００２０】
本発明に係るスプリングエレメントの特徴は、支持構造体と共に、最も良い方法で、モジュール化できることである。さらに、本発明に係る、スプリングエレメントは、緩衝材(パッド)をベースとした椅子、ソファー等の家具に適用できる。支持エレメントとしてのスプリングエレメントの応用としては、乗用車の座席シート、背もたれおよび／又は、貨物自動車の座席等もまた考えられる。本発明に係る、スプリングエレメントは、もし必要なら、水、さらには洗浄剤又はメンテナンス用剤によって、容易に洗浄できる。該エレメントは耐腐食性をもち、アウトドア向けの例えば、キャンピング用シートベースおよび／又は、ガーデン椅子、寝椅子等に適している。
スプリングエレメントの弾性力は、先ず２つの螺旋状に形成されたスプリングアームによって決定される。所望の弾性力を得るためには、スプリングアームは、所望のアーム長、螺旋のねじれ、材料の強度、断面の仕様等に基づいて設計され、形成される。さらに、スプリングの「こわさ」は使用するプラスチック材料の選択によって決定される。本発明に係るスプリングエレメントのさらなる特徴は、射出成型によるプラスチック部品として、シンプルに製造されることにある。
コンパクトな構造に形成されるためには、融通のきく方法、例えば、種々のスプリングエレメントに適応する支持構造体のように、単一部品と、接続される部品の組み合わせとの両方を取り入れることである。
【００２１】
本発明に係るスプリングエレメントは耐候性、特に、耐腐食性があり、容易に水で洗浄できる。さらに、本発明に係るスプリングエレメントは、組み付け、取り外しが容易にできる。本発明に係るスプリングエレメントは、上側部分に装着されたトッププレートに結合できる。すなわち、スプリングエレメントにより、弾性を与える台である支持表面として、役割を果たす。
さらに、多くのスプリングエレメントを、共通のトッププレートに割り当ててもよい。しかし、このような使い方は、強制的なものでなく、むしろ付加的なものである。上側部分に装着されたトッププレートと結合して成る、本発明に係るスプリングエレメントは、その上側部分の円周側に、凹部を備えることが望ましい。
該凹部は、スプリングエレメントをトッププレートに、トーションプルーフな方法で装着するのに役立つ。こために、トッププレートは、スプリングエレメントの上側部分に設けられた凹部に対応して形成された保持手段を有する。該保持エレメントは、スプリングエレメントをトッププレートに装着後、スプリングエレメントの凹部に嵌め込むまれたる形となる。このようにして、一方のスプリングエレメントと、他方のトッププレートとの、トーションプルーフな接続が確実におこなわれる。
【００２２】
本発明に係るスプリングエレメントを、上側部分に装着されたトッププレートに安定な位置で取り付けるために、上側部分はスルーホールを備えることが望ましい。上記スルーホールはできれば長方形で、差込み嵌合方式(バヨネットキャッチ)で形成され、横断方向の広がりが変化する部分を持つことが望ましい。スプリングエレメントとトッププレートを取り付ける目的で、トッププレートに対応して形成された関連するエレメントは、スプリングエレメントのスルーホールに挿入され、相対的回転によりスプリングエレメントのスルーホール内でロックされる。
トッププレートに形成された関連するエレメントとの結合により、スプリングエレメント内のスルーホールは、差込み嵌合方式(バヨネットキャッチ)に形成され、この方式は、容易に抜き差しできる利点がある。
それ故、スプリングエレメントとトッププレートは互いに、簡単に接続できる。
有難いことに差込み嵌合方式を用いると、スプリングエレメントとトッププレートとの接続が、必要に応じて、容易に解除できる。このことは、洗浄目的で、トッププレートからスプリングエレメントを取り外すときなどに便利である。
差込み嵌合方式は、上側部分の円周側に形成された凹部と結合して、トーショプルーフで力伝達(フォーストランスミッティング)接続を、スプリングエレメントとトッププレートの間に創り上げている。
スプリングエレメントの上側部分は、そのボトム側で基礎部分に面する側に補強リブを設けることが望ましい。これらの補強リブは、スプリングエレメントの上側部分を、さらに安定させる役割を担う。
上側部分のボトム側に装着され、年輪型に形成される補強リブの設計は大きな利点があることが解かった。さらに、上側部分のスルーホールは、補強リブで取り囲んで形成してもよい。本発明のさらなる特徴によれば、差込み嵌合方式で上側部分のボトム側に設けられたラッチ手段は、上側部分のボトム側に形成された一つ又は複数の補強リブの不可欠な部分であるということにある。
上述のように構成すれば、とくに経済的な製造が可能となる。
【００２３】
本発明のさらなる特徴は、スプリングエレメントの基礎部分は、対応する部分に装着するための少なくとも1つの手段により、接続できるということである。可能な対応部品（カウンターパーツ）は、スプリングエレメントを装着するために最も多様化された支持構造体である。このようなカウンターパーツとしては、寝具表面エレメント(ライイングサーフェース)、格子状フレーム、スレート状フレーム等である。カウンターパーツへの取り付け手段は、ピン型エクステンションにより形成されることが望ましい。スプリングエレメントを支持構造体に装着するために、支持構造体はピン型エクステンションに対応して形成された開口部を備えている。その開口部にピン型エクステンションは容易に挿入され、スプリングエレメントを支持構造体に装着できる。ピン型エクステンションは弾性材料により僅かに包まれていてもよい。このようにすれば、ピン型エクステンションは、弾性体の変形により支持構造体に形成されている開口部に、該弾性体の変形により安定位置で圧着挿入できる。上記弾性材料は、またノイズを減らすことにも役立つ。
【００２４】
スプリングエレメントを支持構造体に着脱自在に装着できれば、多くの多様化したアプリケーションに適用できる。従来技術の簡易型スプリングエレメントでは、このようなことは不可能である。同様なことは、スプリングエレメントの上側部分にトッププレートを装着することにも付加的に応用できる。
このようにして、従来の公知のスプリングエレメントでは出来なかった、多くの多様化した用途が必要に応じて考えられるようになった。
本発明のさらなる特徴は、上側部分側のスプリングアームの端部には、互いに反対に配列された上側部分が取り付けられている。
スプリングアームは、基礎部分から上部分に向かって、螺旋状に１８０度以上、好ましくは２７０度、最も好ましくは３６０度ねじれる（ツイスト）。本発明の好ましい具体例では、スプリングエレメントの基礎部分は、Ｓ字型に形成され、スプリングアームの基礎部分側の二つの端部エリアに接続されている。年輪型に形成されている上側部分の外径は、アプリケーションに応じて所望の寸法に設計される。上記外径は好ましくは５ｃｍ〜１４ｃｍ、あるいは９ｃｍ〜１３ｃｍさらには１０ｃｍ〜１２ｃｍの寸法に定める。本発明の特別なケースでは１１ｃｍに設定される。本発明のさらなる特徴は、スプリングエレメントの長手方向に沿った、高さ方向への広がりは、3ｃｍ〜７ｃｍ好ましくは、４ｃｍ〜６ｃｍに設定される。本発明の他の例では、上記広がりが５ｃｍに設定される。上記スプリングエレメントの寸法は、アプリケーションによって異なり、例えば、所望する弾性力により、設計は異なる。勿論、異なったサイズのスプリングエレメントを組み合わせてもよい。
【００２５】
例えば、ベッド、マットレス等のベースに種々のスプリングエレメントを用いる場合、該スプリングエレメントには、かなり重い付加がかかるので、軽い負荷がかかるスプリングエレメントに比べて、その幾何学的寸法は大きくなる。例えば、マットレスの頭の部分に配置されるスプリングエレメントはマットレスの中央部分に配置されるものより小さい。容易な方法で他の部品と接続できる、着脱の取り扱いが簡単なコンパクトな器具は、例えば、支持構造体および／又は、トッププレートに、所望の目的で適用できる。それ故、本発明に係るスプリングエレメントの用途には制限はなく、所望のサイズ、心地よい弾性力、スプリング強さなど所望するスプリングレベルに合うように形成される。本発明の唯一の実用的利点は、スプリングアーム、基礎部分、上側部分から成るスプリングエレメントをプラスチックで一体に形成できることである。
【００２６】
さらに本発明では、上側部分側または基礎部分側と互いに結合され、上述の型のスプリングエレメントに形成された、スプリングモジュールを提案する。
それ故、スプリングモジュールは、２つに分離されて形成された、スプリングエレメントからなり、それらが共通のスプリングモジュールを形成する。２つのスプリングエレメントは、基礎部分または上側部分を経由して互いに接続されている。上記スプリングモジュールを形成するため、スプリングエレメントは再構築されるのではなく、対応する接続エレメントにより簡単に接続できる。本発明の更なる提案は、上述した型のスプリングエレメントと、スプリングエレメントの上側部分サイドに装着されたトッププレートとによって形成された、スプリングモジュールである。さらに、種々のスプリングエレメントが同じ一つのトッププレートに装着されてもよい。該トッププレートはプラスチックの射出成型によって作成されることが望ましい。トッププレートは、所望の用途に従って形成され、例えば、円形、楕円形、長方形、あるいはその類似形の形状に、支持表面として形成される。さらに、トッププレートはスルーホール、補強リブ等を備えてもよい。一方のトッププレートと、他方のスプリングエレメントとは、容易に連結でき必要に応じ取り外せるように形成されることが望ましい。このような取り外し可能な、トッププレートとスプリングエレメントとの装着は衛生面で大きな利点がある。すなわち、トッププレートとスプリングエレメントは、洗浄のために、互いに取り外すことができるからである。トッププレートを位置安定的に接続するため、スプリングエレメントはトーションプルーフな方法で装着される。
【００２７】
本発明の他の特徴は、スプリングモジュールがスプリングエレメントの基礎部分サイドに、スプリングエレメントを支持構造体に装着させるための、接続手段を備えることにある。上記接続手段は、スプリングエレメント基礎部分サイドが対応して形成された支持構造体に容易に装着できるように、プラグイン接続で形成されることが望ましい。トッププレートが接続される限りにおいては、上述の課題解決のために、少なくとも面の広がりをもつマットレス、パッド等に利用される受けエレメントが、さらに本発明で提案される。すなわち、複数の受けエレメントが順序よく配列されて、共通の支持表面を形成して成り、皿型にプレート形成され、キャリアエレメントに取り外し可能に装着する手段を有することを特徴とする受けエレメントである。本発明によれば、支持皿又はトッププレートとしての役割をする受けエレメントは分離された部品として形成される。それは、例えば、スプリングエレメントをキャリアエレメントに取り外し可能に装着することを意味する。そのことにより、スプリングエレメントを、所望の用途に従って、適切にキャリアエレメントに接続できるのである。上記の設計は、多くの利点をもつ。一方、受けエレメントは、もし望むなら、種々に形成されたキャリアエレメントに、モジュラー取り付けのコンセプトで接続される。個々のアプリケーションに対応して、どんなデザインのキャリアエレメントも本発明に係る受けエレメントに接続することが可能である。例えば、キャリアエレメントは、スプリング弾性体エレメントとして形成することもできる。支持エレメントをモジュラー取り付けのコンセプトで、種々に機能設計されたキャリアエレメントに接続できることは、特に、経済的な面から大きな利点がある。その理由は、適切なキャリアエレメントの機能が種々に異なっていても、様ざまな受けエレメントを使用する必要がなく、むしろ一つの、同じ受けエレメントが種々に設計されたキャリアエレメントに接続できる。他の利点は、受けエレメントは取り外し可能にキャリアエレメントに取り付けできことである。それゆえ、例えば、洗浄の際、受けエレメントをキャリアエレメントから取り外すことができるという利点がある。
取り外し可能な装着は、多分必要な保守（修理）のときに大きな利点がある。
欠陥の可能性ある受けエレメントを個々に連結されたキャリアエレメントから取り外し、キャリアエレメントを交換することなく、新しい受けエレメントと置き換えることができる。勿論、同様に、キャリアエレメントの交換にも適用できる。すなわち、キャリアエレメントに取り付けられていた受けエレメントは、新しいキャリアエレメントに挿入れる。それゆえ、本発明の実施例によれば、取り扱いが容易であるばかりでなく、特に保守面で、コストの低減を図ることができる。すなわち、一方において、同時にキャリアエレメントを交換することなく、受けエレメントを交換することができ、他方では、受けエレメントはキャリアエレメントの何れの１つとも結合できるので、１つのキャリアエレメントを新しい受けエレメントの挿入の必要なく、交換できる。さらに、一方の受けエレメントと、他方のキャリアエレメントと交換可能な装着は、保守の場合のみならず、受けエレメントを種々の機能用に設計されたキャリアエレメントと適切に結合できるという利点がある。それゆえ、アプリケーションによって、種々の機能に設計されたキャリアエレメントを１つの同じ受けエレメントと結合できる利点があり、それ故、本発明に係る受けエレメントを病院および／又は、看護の分野でのベッドに使用した場合、多大な効果を発揮できるのである。それゆえ、挿入されたキャリアエレメントは、ベッドによこたわる患者のニーズに合わせて調整することができ、病院や看護ベッドの場合、再度使用するときも、ベッドに横たわる人のニーズに合った再調整ができる。
【００２８】
この目的から、特別に設計されたキャリアエレメントが、同じ受けエレメントが用いられている、面の広がりを持つベッドなどに使用される。本発明の他の特徴によれば、受けエレメントは１ピースに形成され、それは、シンプルな生産および簡易な取り扱いという面で有益である。受けエレメントはプラスチックから成り、射出成型されることが望ましい。プラスチックは外部環境、例えば水や尿に対して、耐腐食性があるという利点がある。その上、プラスチックから成る受けエレメントは、例えば、水で、容易に洗浄できる。さらに、プラスチックから成る受けエレメントは、比較的軽量で、また取り扱いが容易であるという利点がある。本発明の他の実施例によれば、受けエレメントは、安定性のために金属も使用できる。特に受けエレメントが相当な重量に耐えなければならないとき、たとえば、負荷が重なって受けエレメントに著しい重さがかかるときに有効である。上記のアプリケーションは例えば、体重の重い人向けのベッド、特に病床および／又は、介護ベッド等の分野である。
本発明の他の特徴は、受けエレメントはトーションプルーフおよび／又は着脱自在の方法でキャレアエレメントに装着できることにある。このために、受けエレメントは、対応して形成されたラッチ手段部を備えている。この目的のラッチ手段としては、例えば、スナップロック方式が役に立ち、装着の際、キャリアエレメントに対応して形成された穴に嵌合する。またキャリアエレメントに対応して形成された孔に結合されたピン型エクステンションも、受けエレメントとキャリアエレメントを装着する際、ラッチ手段として用いることができる。勿論、他の固定方法もラッチ手段として、例えば、スクリューなども利用できることは云うまでもない。
【００２９】
本発明の他の特徴としては受けエレメントがスルーホールを有していることである。スルーホールの目的は、マットレス、パッド等受けエレメントにより設備化されるマットレス、パッド等の換気性（呼気）のためである。例えば、マットレス、パッド等のそれらを取り囲んでいる外気との通風を、特にそれらのボトムからの通風を受けエレメントに形成したスルーホールを介して、確実にするためである。本発明の他の特徴は、受けエレメントが、一方において円形部分を備え、他方においてそれに装着された表面部分を備えていることである。さらに、円形部分に装着された種々の表面部分を備えており、それによって、２つの表面部分をもつ好ましいケースでは、それらが互いに円形部分に対向して装着される。円形部分とそれに装着された表面部分の両方、あるいは表面部分がそれぞれ支持態様として、受けエレメントによって提供されるマットレス、パッド等に適用される。キャリアエレメントに受けエレメントを取り外し可能に装着する目的のために、円形部部分は、マットレス、パッド等から反れた側に受けエリアを設けており、それは、受けエレメントの受けエリアに対応して形成されたキャリアエレメントのセクションに適用される。キャリアエレメントへの受けエレメントのトーションプルーフおよび／又は、着脱自在な装着は、付加的に次のようにサポートされる。すなわち、円形部分は、マットレス、パッド等から反れた側の円形の表面から突き出た、円周形のカラー（鍔）を備えている。上述した受けエレメントの構造は、強固で、大きな張力でさえ耐えられるものである。
受けエレメントのさらなる安定性のために、本発明の他の特徴が利用できる。すなわち、受けエレメントは、表面部分の円形側あるいは表面部分にそれぞれ接続された補強リブを備えることができる。これらの補強リブは、受けエレメント全体の補強に有益であり、受けエレメントを意図的に曲げ応力が起きるような用途に使用するとき特に効果がある。本発明の他の特徴によれば、中心部は円形部分の内部に装着され、その中心部に補強リブが導入される。このような構造の設計は、受けエレメントのさらなる補強につながる。すなわち、受けエレメントの意図した使用中に受ける力を、全ての受けエレメントで分散することができるからである。
受けエレメントは面及／又は、回転対称に設計されることが望ましい。本発明の他の特徴によれば、表面部分は、マットレスまたはパッド等の面している側に１つまたは複数のリブを備えている。これらのリブは、一方において、表面部分を補強し、他方において、受けエレメントとその上に置かれた、マットレス、パッド等との間の不本意なずれ（移動）を防ぐ。上記のように、表面部分に装着されたリブは、ずれ防止部品としての役割をする。
【００３０】
本発明の他の特徴によれば、キャリアエレメントはスプリング弾性体から成る。キャリアエレメントの他の実施例も提供されるが、しかしながら、大事なことは次のようなことである。
キャリアエレメントはそれに装着される受けエレメントに取り外し可能に接続できるということである。この目的のために、本発明によれば、キャリアエレメントは、受けエレメントの受けエリアに対応して、受けエレメント側に設けられた、セクションを備えている。受けエレメントとキャリアエレメントを接続する際、該セクションは受けエレメントに形成された受けエリアへと押し出す。同時にボトム側に装着され、受けエリアに取り囲まれている前記カラーは、キャリアエレメントから受けエレメントが不本意にずれ（移動）を起すことを防止する。
受けエレメントをキャリアエレメントにトーションプルーフに装着する目的で、受けエレメントに、対応して設けられた手段が受けエレメントに提供される。例えば、カムと溝による装着（ＣＡＭ  ａｎｄ Ｇｒｏｏｖｅ）である。キャリアエレメントと受けエレメントは、勿論互いにスクリューによって接続されてもよい。本発明の他の特徴は、受けエレメントと反対がわに位置するキャリアエレメントのエンドエリアは、支持構造体にキャリアエレメントを装着する手段を備えることを提案する。
ベッドの寝床面、特に、病床および／又は、看護用ベッドの表面は支持構造体として供給される。該寝床面は、好ましくは、複数のキャリアエレメントを順序よく配列して収容する。そして、キャリアエレメントのそれぞれは一連の受けエレメント全体を支えることになる。
複数の受けエレメントは順序よく配列され、マットレス、パッド等を作成するための共通の支持表面を形成する。他の具体例によれば、受けエレメントは１つ以上の例えば、２，３，４個のキャリアエレメントによって支持（サポート）される。取り付けの際は、本発明の受けエレメントとその上に取り外し可能に装着されたキャリアエレメントは、支持エレメントとして設計された、取り扱いが容易なユニットを形成する。受けエレメントとキャリアエレメントから成る支持エレメントは、生産者（マニュファクチャラー）により、半組み立て品（プリアセンブル）としてユーザに提供される。勿論、受けエレメントとキャリアエレメントを互いに分離してユーザへ配送することも可能であり、その場合は、ユーザが受けエレメントをキャリアエレメントに自分で装着しなければならない。受けエレメントとキャリアエレメントとの着脱自在な取り付けは、例えば、洗浄のために、互いに取り外すことができるという利点だけでなく、２ピースから成る構成は、受けエレメントとキャリアエレメントをそれぞれ別な材料で作ることが出来るという利点もある。このことは、コスト削減の利点のみでなく、また、上記方法により、一方において受けエレメントの、他方においてキャリアエレメントの異なった機能的要求を適切な材料の選択により解決できるという利点がある。
【００３１】
この接続の特別な利点は、以下の通りである。例えば、異なる寸法で設計された受けエレメントと異なる設計のキャリアエレメントを結合できるので、たとえば、キャリアエレメントをスプリングエレメントとして設計した場合、スプリング定数、弾性力、スプリングピッチ等に関して異なる設計のキャリアエレメントも結合できるという利点がある。このように製造コストが安いにも拘わらず、個々の要求も調整可能なのである。
キャリアエレメントにトッププレートとして着脱自在に装着する受けエレメントは、スルーホールを備えることが好ましい。その結果、材料の削減による軽量化だけでなく、スルーホールという構造が受けエレメントの寸法安定性を改善する、という効果をもたらす。さらにスルーホールは、例えば、マットレス、パッド等意図的に受けエレメントによって構成された、台の換気のための通風に役立つ。キャリアエレメントを支持構造体に装着するために、キャリアエレメントは、取り付けの際に受けエレメントの反対側の位置に配置される接続エレメントを、備えている。接続エレメントは、一方において、受けエレメントを支持する支持エレメントと、他方において、キャリアエレメントを収容する支持構造体とを接続する部品（メンバー）としての働きをする。第１の特徴は、キャリアエレメントと接続エレメントとを一体に形成できることである。このような設計は特に、コスト面で効果が大きい。他の特徴として、接続エレメントは、キャリアエレメントに着脱自在に装着できる、分離可能な部品であるという点が挙げられる。
一方における接続エレメントと他方におけるキャリアエレメントという２ピース設計は、次のような効果をもたらす。すなわち、接続エレメントとキャリアエレメントの要求する各々の材料特性に対応して、異なった材料で作ることが可能である。接続エレメントとキャリアエレメントとの２ピース設計によって、支持構造体にキャリアエレメントを装着するために、接続エレメントは、キャリアエレメントと支持構造体との間の中間部材としての役割を果たす。すなわち、接続エレメントは、キャリアエレメントおよび支持エレメントと双方と着脱自在に取り付けられることが望ましい。このようにして、洗浄の目的で、キャリアエレメントを接続エレメントから取り外し、また接続エレメントを支持構造体から取り外すことができるのである。
キャリアエレメントが支持構造体に対し相対的に捻れ移動（トーショナルムーブメント）することを防ぐため、キャリアエレメントは、支持構造体にトーションプルーフな方法で装着される。このため、接続エレメントは、キャリアエレメントおよび支持構造体双方に、トーションプルーフな方法で接続される。
接続エレメントは、プラグ状に形成される設計であることが好ましい。
それは、プラスチック、できれば、熱可塑性プラスチックより成ることが望ましい。上記設計の利点は、接続エレメントを機密様式で、支持構造体の対応するレセプタクルに挿入できる点である。さらに、熱可塑性プラスチック材料の弾力性により、接続エレメントは、対応する支持構造体のレセプタクルに、ネジなどの固定手段を何ら使うことなく、位置安定性よく挿入できるという、利点がある。
それ故、接続エレメントは、何ら道具を使うことなく、支持構造体に着脱自在に取り付けられるのである。その上、接続エレメントは、振動が起きた場合でもそのノイズを吸収するように、支持構造体に装着できる。
【００３２】
さらに本発明は、ベッド、特に、上述の支持構造体として形成された寝床面から成る、病院及び／又は、看護用ベッドとして提案される。該ベッドの寝床面は、上述した型のキャリアエレメントで構成され、該キャリアエレメントは本発明の型の受けエレメントで構成される。コネクタに関して、先に述べた問題点を解決するため、基体に形成された凹部に挿入されるプラグ形状部分により、機能エレメントを基体に装着する本発明によるコネクタがさらに提案される。この目的のため、プラグ形状部分それ自体が機能エレメントに装着される接続エレメントを収容する凹部を備えることにより、プラグ形状部分が基体の凹部に対応して形成されるのである。本発明の目的の機能エレメントとは、意図的な用途として、エレメントが基体たとえば支持構造体上に典型的に装着されることにより、技術的機能の目的に沿って適用されるエレメントのことを言う。上記の意味での機能エレメントは、例えば、椅子やベッドらの家具用スプリング弾性体ベースとして使用される、スプリングエレメントが挙げられる。上記機能エレメントを基体に装着するため、固定部品として例えばスクリュー、リベットらを用いることができる。該固定部品は従来技術としてよく知られている。しかしながら、それらの部品は、機能エレメントの取り付け取り外しを比較的複雑にしているという欠点があった。さらに、例えば、リベットが使用されている場合などには、機能エレメントを基体から容易に外せないという欠点があった。この欠点を改善するため、ネジのついた固定部品例えば、スクリュー、ピン型ネジ等が公知である。しかしながら、上記固定部品は対応するスクリューやネジが、相手側と合う（マッチする）構成が要求され、このことが、コスト面だけでなく、取り付けにもかなりの時間がかかるということで、結局、生産者およびユーザの双方にとって、より面倒な問題となっていた。本発明に係るコネクタはプラグイン部品として形成され、使用に当たっては、機能エレメントを基体に接続する結合（カップリング）エレメント又は接続（コネクティング）エレメントとして、設計されている。
【００３３】
上記コネクタは、機能エレメントを基体に装着する目的で、基体に形成された凹部にプラグインできる、プラグ形状部分を備えている。
位置安定性のある装着のために、プラグ状部分は基体の凹部に対応して形成される。それゆえ、例えば、プラグ形状部分は実質的に円形の断面を有するように構成される。これに対応して、基体に形成された凹部もまた、実質的に円形の断面を持ち、例えば、孔状に形成される。コネクタのプラグ形状部分は、機能エレメントを装着するため、該孔にプラグインされる。プラグ形状部分の装着を確実にするために、基体に形成された凹部およびプラグ形状部分の双方は、断面が円形から偏心して、例えば角ばった形に形成することもできる。プラグ形状部分は、機能エレメントに接続された接続エレメントを収容する、凹部の役割を持つといってもよい。最も簡単な実施例として、プラグ形状部分は、実質的に円形の凹部を備え、その中へ、例えば、ピン型のエクステンションとして形成された機能エレメントの接続エレメントがプラグインされる。コネクタに対し、機能エレメントのトーションプルーフな装着を確実にするために、一方の接続エレメントの断面と、他方のプラグ形状部分に形成された凹部の断面は、円形から偏心した形、例えば、楕円、長方形らに形成することができる。
基体上に機能エレメントを装着することは、本発明によるコネクタを使用することにより、最も容易に成し遂げることができる。
先ず第１に、コネクタは、基体に形成された凹部にプラグインされなくてはならない。次に、機能エレメントの接続エレメントは、コネクタのプラグ形状部分の凹部に、挿入されなくてはならない。結果として、所望通り、機能エレメントを基体に装着できる。機能エレメントと基体とのこのような接続は、必要に応じて容易に取り外すことができる。すなわち、機能エレメントはコネクタから引き外すことができ、コネクタは基体に形成された凹部から引き離すことにより、取り外すことができる。上記取り外しは、なんら破損することなくできるので、コネクタおよび機能エレメント双方を将来再度、利用できる。取り付けると機は、逆の方法をとればよい。先ず、機能エレメントにコネクタを装着する。次に、コネクタを既に装着されている機能エレメントと一緒に、基体に形勢されている凹部にプラグインする。本発明によるコネクタは、取り扱いが容易である。その理由は、複雑な着脱の手間がなく、基体と一方のコネクタ、コネクタと他方の機能エレメントとを一緒にプラグ接続できるからである。対応した設計つまり、機能エレメントと基体間のコネクタにより形成された接続は、トーションプルーフであり、機能エレメントの基体への装着を保証し、また必要に応じて、破壊することなく取り外すことができる。
【００３４】
この発明の更なる特徴は、コネクタのプラグ形状部分は弾性材料、例えばプラスチックから成ることである。適切なプラスチックとは、特に、射出成型可能でコネクタを単純に成型できるプラスチックである。
機能エレメントを基体にしっかりと装着するために、コネクタのプラグ形状部分は、基体に形成された凹部よりも僅かに径を大きくする。このように径を大きくすることで、基体に形成された凹部に、装着のため、コネクタを押し込むか圧入できる。その場合、大きめの径は、何ら道具を使わず、簡単に指の圧力で、プッシュインまたは、プレスインできる。この方法の特別な利点は、基体に形成された凹部にコネクタを挿入した結果として、該コネクタは位置安定的に基体に固定できるということである。
コネクタは簡易な固定部品という利点以外にも次のような特徴がある。それは、ノイズ減衰効果である。その理由は、機能エレメントと基体が、互いに直接接触してないからである。基体あるいは機能エレメントのいずれの振動も、機能エレメントと基体間に装着されたるコネクタにより、特にコネクタがプラスチックの場合、吸収される。上記のように、機能エレメントと基体が接触して起こす騒音を打ち消すことができる。他のコネクタの利点は、一方の機能エレメントと他方の基体とを、耐液体性に接続できることである。コネクタの上記特性は、機能エレメント及び基体が、特に液体にセンシスティブな（湿気の高い）エリアで用いられるような時に効果が大きい。例えば、ベッドの寝床面やマットレス等に応用するため、マットレスの支持構造体として設計された基体に装着される、スプリングエレメントとして設計された機能エレメントは、上述の効果をもたらす。
本発明に係る、上述したコネクタの堅牢な固定機能を保つために、本発明の特徴は、コネクタがカラーを備えていることである。すなわち、コネクタのプラグ形状部分に取り付けられ、装着の際、基体の上側に置かれるカラーを備えている。
本発明のさらなる利点によれば、前記カラーは、基体の上に機密に確実に配置するため、密封片（シーリングリィップ）を備えている。さらに、前記カラーは、基体に面するボトム側に密封層を備え、該密封層は、また、コネクタを基体に耐水性高く固定することに役立つ。
【００３５】
本発明の他の特徴は、プラグ形状部分が、コネクタを装着する際、基体のボトム側に配置されるよう、ラッチ手段を備えていることである。
該ラッチ手段は、その一端がプラグ形状部分に取り付けられた円形の胴部として設計されており、そのことにより、プラグ形状部分と前記円形の胴部とは一体に形成される。取り外しの目的のため、ラッチ部を支えるプラグ形状部分の一端は、基体に形成された凹部から取り外せるように、該凹部へ圧入される。前記円形の胴部の厚さと前記コネクタの材料特性は、互いに適合され、その結果、前記プラグ形状部分を前記凹部に、何ら道具を使うことなく、手で押し込めることができる。最も簡単な実施例では、本発明に係るコネクタは、単にプラグ形状部分から構成される。このプラグ形状部分は、弾性材料、好ましくはプラスチックから成り、機能エレメントを基体に装着する目的で、対応して設けられた凹部に挿入される。他の実施例によれば、プラグ形状部分は、コネクタを接続する際に、基体のボトムサイドに置かれた一端に、ラッチ手段部を備え、コネクタが基体に形成された凹部から不本意に外れることを防止する。さらに、プラグ形状部分は、他端にカラーを備え、該カラーは、コネクタ装着の際、基体の上側に配置される。前記カラーは、シーリングリップとシーリング層の双方を有する。プラグ形状部分、カラー、ラッチ手段部は好ましくは一体に形成され、上述のように、弾性材料から成ることが望ましい。本発明の他の特徴によれば、プラグ形状部分は外周方向に外部へ放射状に広がる補強リブを備えている。これらの補強リブは、下記の３つの利点がある。第１は、プラグ形状部分を、曲げおよび捻れに関し、補強する。さらに、上記補強リブは、前記プラグ形状部分を、基体に形成された凹部にトーションプルーフな方法で装着することに役立つ。そのため、該凹部は、その断面が補強リブを支えるプラグ形状部分に対応して形成されている。さらに、機能エレメントの接続エレメントとを収容するプラグ形状部分に形成された凹部と、補強リブはとは互いにマッチング（適合）する。接続エレメントがプラグ形状部分の凹部に挿入される時、補強リブの外方向に圧力がかかり、それにより、基体の凹部にコネクタを確実にホールド（支持）することができる。
【００３６】
この発明の他の特徴によれば、プラグ形状部分は、その一端に、内円周側に形成された溝を備えている。そして、該溝は、機能エレメントの接続エレメントに形成された切抜き部により、コネクタの装着の際に連結される。
上記設計により、機能エレメントをコネクタに位置安定的に装着することができる。このように、コネクタと機能エレメントが不本意に外れることを防止できる。コネクタのプラグ形状部分に設けられたラッチ部は、それゆえ、コネクタが基体から不本意に外れないことを保証しる。一方、コネクタ側の溝と機能エレメント側の切り抜き部との結合は、機能エレメントがコネクタから不本意に外れないようことを保証している。この結果、上記構造は、基体と機能エレメントとの新しい接続方法を創造したことになる。すなわち、意図的な使用としては、機能エレメントを基体上に位置精度高く安全な様式で装着することを保証し、他方、機能エレメントと基体とが、互いに、不本意に外れないことを保証する。同時に、コネクタのプラグ形状部分が、その内側及び外側とも円錐形をしているということが、補助的に、上述の（創造的）構造に役立っている。
【００３７】
本発明に係るコネクタは、射出成型部品として形成することができる。この
ことにより、生産の単純化と低コスト化を図ることができる。有益な方法を用いて、一方の機能エレメントと他方の基体間の信頼性ある接続を構築することは容易である。取り付け取り外しが容易であり、取り外しの際も破壊することなく、コネクタは何回も使用可能である。取り付けおよび取り外しの際、何ら道具を使わないので、すぐに、単純に上記作業ができる。本発明のコネクタの他の利点は、ノイズ（騒音）を吸収できる機能、換言すれば、ノイズ減衰効果を有することである。さらに、機能エレメントと基体間の接続点を密封することができ、このことはコネクタが湿気の多い場所（液体にセンシティブな環境）で使用される場合、特に効果が大きい。このように、本発明に係るコネクタは、個々の適用仕様に合わせて、あまねく使用できる。
さらに、本発明は、複数の支持エレメントが互い順序よく配列された、パッディング（ソファー）、シッティング（椅子）、ライイング（ベッド）等の家具に使用される緩衝材（パッド）収容物に利用するデバイスであって、スプリングエレメントは複数のスタンドを有するように設計され、少なくとも２個の渦巻き形状および／又は、螺旋形状のスプリングアームを備え、かつ、前記スプリングエレメントはプラスチックから成ることを特徴とするデバイスである。
【００３８】
本発明に係るデバイスは、複数の支持エレメントを備え、それらは、互いに順序よく配列され、例えば、支持スタンド、支持プレート、配置された支持プレート等によって支持される。支持エレメントは一方その上に装着されたパッドをスプリングの弾性力により支える。その結果、椅子および／又はベッド等に心地よさを与える。その上、支持エレメントは、椅子および／又は、ベッド等家具に利用される全ての緩衝材に使用される。本発明に係るデバイスの各支持エレメントは、一方においてスプリングエレメントを、他方においてその上に装着されるパッドレセプタクルを備えている。  
ところで、スプリングエレメントは複数のスタンドを有するように設計され、少なくとも２個の渦巻き形状および／又は、螺旋形状のスプリングアームを備えている。スプリングエレメント全体は、射出成型部品としてプラスチックから形成され、これにより、前記スプリングエレメントのスプリングアームは、外力が与えられた際、弾力作用（スプリング効果）で反応し、かつ、前記スプリングエレメントの幾何学的形状および／又は材料を適切に選択することにより、該スプリングアームのスプリング効果が前もって決定されていることを特徴とする。
【００３９】
上記のように、所望の寸法、数、心地よい弾性力等を互いに組み合わせて、本発明のデバイスを形成することにより、多岐に亘る応用面での利点をもたらす。
スチール製のスプリングで作成した簡易型のスプリングエレメントと比較して、本発明のプラスチックから成るスプリングエレメントは、次のような利点がある。
すなわち、最適な重量で形成でき、取り扱いが容易で、生産及び組み立てが低コストで出きる。さらに、特に螺旋設計は、スプリングエレメントを「ゼロ」に圧縮することができ、例えば、高さ方向のストップ点まで圧縮できる。そのため、スプリングエレメントの径度方向の広がりに関し、非常に長いピッチをとることができる、という利点がある。
本発明に係るスプリングエレメントは、複数のスタンドを備える設計であって、例えば、少なくとも２個のスプリングアームを備えている。上記設計は、本発明に係るデバイスが用いられるとき、吸収される力が、個々のスプリングアームにより均等に分担されるという特徴がある。さらに、このような設計は、曲げ及び捻れに対してもどうように作用する。本発明の趣旨の範囲であれば、スプリングアームは２本〜４本あるいはそれ以上でもかまわない。
【００４０】
本発明に係るデバイスの個々の支持エレメントは、たとえば、トッププレートとしての役割を担う受けエレメントの形で、パッドレセプタクルを備えている。このパッドレセプタクルは、個々の支持エレメントのスプリングエレメントに設けられている。丁度、スプリングエレメントと同様に、パッドレセプタクルもプラスチックから成り、射出成型部品として形成されることが好ましい。パッドレセプタクルは、例えば、トッププレートと同様なプレート形状に形成され、もし必要なら、円形または長方形に形成されたスルーホールを備えてもよい。
本発明の他の特徴は、トッププレートと同様な形に形成するパッドレセプタクルは、環状型に形成することができる。  このことにより、円周形および多角形双方の形に形成されるリング状の設計も可能となる。環状のパッドレセプタクルは、多角形、できれば５角形及び／又は、６角形で設計されることが好ましい。
本発明に係るデバイスは、実質的に、２つの利点を有している。一つは、スプリングエレメントのスプリング弾力特性によって、椅子および／又は、ベッド等の「心地よさ」が改善されたと断言できることである。二つ目は、本発明のデバイスの上側に配置されたパッドは、下側からの通気性が良いという点である。このことは、また、緩衝材が汗で貼り付くという構造上の問題を防止するので、椅子および／又は、ベッドの「心地よさ」を改善する効果をもたらす。
【００４１】
さらに，本発明に係るデバイスは、個々の支持エレメントがプラスチックから成るので、たとえば、スプリングエレメントとパッドレセプタクルが簡易な洗浄方法およびメンテナンス剤により容易にクリーニング出来る等、きわめて保守が容易であるという利点がある。本発明によるデバイスはそれ故、屋内で使われるのみでなく、屋外の家具、たとえば、ガーデンやキャンピングらに使う家具にも利用できる。
パッデング、椅子、ベッド等の家具の緩衝材備品に利用される、本発明に係るデバイスは、順序よく配列された支持エレメントを備えている。挿入される支持エレメントの数は、座席、背もたれ、腕の寸法や脚部の所望の面積等によって決定される。支持エレメントは、長手方向または横断方向に、互いに、整列にあるいは千鳥状に配列される。本発明の支持エレメントは上記配置に限定されるものでなく、複数の順序良く配列された支持エレメントが、緩衝材備品を形成するということが特に重要なことなのである。前記デバイスの個々の支持エレメントの取り扱いを容易にするため、支持エレメントは互いに、結合できるようにマットライクの設計になっている。本発明の好ましい実施例として、支持エレメントのパッドレセプタクルは、環状型、多角形に形成され、６角形の外周が好ましい。上記実施例の特徴として、順序よく配列された、本発明のデバイスの支持エレメントは、長手方向または横断方向に、互いに、千鳥状に配列される。これにより、一方では受けた力を複数の支持エレメントに分配し、他方では、個々の支持エレメント間の不本意なギャップや隙間が生ずるのを防止することができる。
【００４２】
本発明の第１の変形例は、本発明に係るデバイスの各支持エレメントがワンピースで形成されることである。例えば、支持エレメントのスプリングエレメントとパッドレセプタクルとは一体の集積支持体に形成される。
他の変形例として、支持エレメントのスプリングエレメントとパッドレセプタクルの双方は一体の構造部品として設計される。これらは、支持エレメントの最終的な利用形態に応じて、互いに連結される。このため、パッドレセプタクルは、スプリングエレメントに着脱自在に接続されることが望ましい。この種の設計は、パッドレセプタクルとスプリングエレメントをそれぞれ異なったプラスチックで作ることができる、という利点をもたらす。
パッドレセプタクルと、それと連結されるスプリングエレメントとの位置安定的な接続のため、スプリングエレメントとパッドレセプタクル双方は、互いに対応して形成された接続部を備えている。この接続方法により、例えば、パッドレセプタクル側のスプリングエレメントに設けられたピンと、スプリングエレメントに形成された、対応する孔を嵌合することにより、接続エレメントとしての役割を果たす。一方のスプリングエレメントと、他方のパッドレセプタクルとの不本意な離脱を防ぐため、両者の接続を確実にするラッチ手段を備えることができる。
本発明の他の特徴によれば、基礎部分から立ち上がったスプリングエレメントのスプリングアームは、１８０度以上、好ましくは２７０度以上の螺旋ツイスト形状を有する。既に述べたように、スプリングアームの螺旋設計は、スプリングエレメントをゼロに圧縮することができるという、利点をもっている。スプリングの所望のピッチに従って、スプリングアームは、選択されたアセントにより、異なった螺旋ツイストを備えることができるような、適切な長さを持たなくてはならない。たった１本の螺旋ツイストの場合は、基礎部分から立ち上がったスプリングアームは３６０度の螺旋ツイストを有することが望ましい。
【００４３】
本発明の他の特徴によれば、スプリングアームから離れたスプリングエレメントのボトム側の各スプリングエレメントの基礎部分は、スプリングエレメントを対応する部分に装着するための手段を備えている。上記の対応する部分とは、例えば、支持フレーム、キャリアプレート、キャリアフレーム、配置されたスレートなどをいう。対応する部分への取り付け手段としては、対応する部分の孔にトーションプルーフな方法で挿入できる、ピン形状のエクステンションが望ましい。トーションプルーフな接続のため、エクステンションの断面は円形から偏心した構造が役に立つ。
本発明の他の特徴は、環円状に形成されたパッドレセプタクルの外径ＤＡ＝２ｃｍ乃至８ｃｍが望ましい。できれば３ｃｍ乃至７ｃｍ、さらには，４ｃｍ乃至７ｃｍが好ましい。スプリングの高さ方向の所望の最大ピッチによるが、スプリングエレメントは、高さ方向の経度的広がりＬＨが、１ｃｍ乃至５ｃｍが望ましい。できれば２ｃｍ乃至４ｃｍが好ましい。しかしながら、上記値は例として述べたのであって、本発明に制限を与えるものではない。
【００４４】
すなわち、本発明の唯一重要なことは、所望の形で結合される複数の支持エレ
メントが本発明のデバイスを形成するということである。
本発明の他の特徴や利点は、図面を用いて下記に説明する。
【発明を実施するための最良の形態】
【００４５】
他の本発明の特徴および利点は、図面を参照して説明する。
【実施例】
【００４６】
図１は、本発明に係る支持エレメントの立体図である。
図1は、支持エレメント１を下側から見た斜視図である。
支持エレメントは、スルーホール６と、トッププレート２上に配置されたスプリングエレメント３と、スプリングエレメント３上であってトッププレートと反対側の位置に取り付けられた接続エレメント４と、を備えた、トッププレート２により形成される。
本発明によれば、スプリングエレメント３は螺旋状に形成されている。
該スプリングエレメントは、支持エレメント１の一端に位置するトッププレート２と、支持エレメント１の他端に適応（アコモデート）しているキャリアプレート１６との間に張り渡されており、その様子は、図５および図６に示されている。スプリングエレメント３は、特に図５に示すように、トッププレート２からキャリアプレート１６方向への横断面から見て、円錐形にテーパー状形成されている。トッププレートエリアでは、スプリングエレメントの直径は５０ｍｍ〜６０ｍｍであること好ましい。
図２は、本発明に係る、支持エレメントの平面図である。
トッププレート２に加工されたスルーホール６は、特に、例えば、マットレスで就寝中の換気に役立つ。該スルーホールは、換気効果を良くするために、支持エレメント１の上部に置かれる。このようなスルーホールの機能が明確に理解される。
本発明に係る、支持エレメントの個々の部品は、図３に示されている。図３から、トッププレート２、スプリングエレメント３そして接続エレメント４が明確に解かるであろう。接続エレメント４は、プラグ状に形成され、基体８と、その上に配置された円周形状のリム９とよりなる。支持エレメント１をキャリアプレート１６上で交換可能な配置とするため、接続エレメント４は、交換可能に、対応するキャリアプレートに形成されているレセプタクル１７に挿入される。
接続エレメント４のリム９は、図４から解るように、キャリアプレート１６に接続エレメント４を取り付け支持するためである。
さらに、接続エレメント４には孔１０があり、トッププレートから離れているスプリングエレメント３の端部を該孔に、好ましくは交換可能の方法で、挿入する。キャリアプレート１６に支持エレメント１をトーションプルーフ(捻れが少ない)で確実に取り付けるために、接続エレメント４は、スプリングエレメント３およびキャリアプレート１６の両方にトーションプルーフな方法で取り付けられる。
スプリングエレメント３は、螺旋状に形成されたスプリング本体１１と、基部７と、基部７に取り付けられ、対応する接続エレメントの孔１０に合うように形成されたピン１２から構成されている。
【００４７】
図５から明らかなように、スプリングエレメントの基部７は接続エレメント４により支えられように取り付けられる。
トッププレート２は、好ましくは押し出し成型された、成型エレメント１５より成る。台から離れている側の成型エレメント１５上には、トッププレート２にスプリングエレメント３をトーションプルーフにとりつけるため、レセプタクル１３が、設けられている。レセプタクル１３の寸法に関しては、スプリングエレメント３のスプリング本体１１を形成する、連続した螺旋体（ヘリカルスレッド）がぴったり合うように定める。このようにして、スプリングエレメント３を、一定の力で、確実に、トッププレート２へ差込むことができる。
スプリングエレメント３をトッププレート２にしっかり固定するため、レセプタクル１３は接続手段として接続片１４を備えている。
これらの接続片は、一方の側のトッププレート２および他方の側のスプリングエレメント３と交換可能に取り付けられるように、形成されていることが好ましい。例えば、前記接続片は、ラッチまたはクリップ型に形成することができる。
上述した、接続エレメント４をキャリアプレート１６に取り付ける方法は図４に示されている。
図４において、キャリアプレート１６の上に載せられている接続エレメント４のリブ９がはっきり見える。さらに、スプリングエレメント３のピン１２が挿入される、接続エレメント４の孔１０も示されている。
図１は、スプリングエレメント３に接続エレメント４を取り付ける状態を示す。、この下側から見た斜視図から、孔１０に挿入されたスプリングエレメント３のピン１２のピン端５が識別できる。
図５および図６は、支持エレメント１が最終的にキャリアプレート１６上に配置される状態を示している。
使用されるキャリアプレート１６のサイズにもよるが、キャリアプレート１６には、複数の支持エレメントが装着でき、その場合、好ましくは、支持エレメント１をキャリアプレート１６上に整列配置する。
スプリングエレメント１８は、図７〜図１１に示すように、上部分１９と基礎部分２０を備えている。スプリングアーム２１は、上部分１９と基礎部分２０との間にあって、上方向２７に伸張する。
全体として、２つのスプリングアーム２１が、基礎部分２０から上部分１９に向かって、螺旋状に伸張する。
本発明によれば、スプリングエレメント１８はプラスチックから成り、ワンピースで形成する。
図９から明らかなように、基礎部分２０は、Ｓ字型に形成する。
それは、スプリングアーム２１の基礎部分２０側の二つの端部エリア３０に接続されている。
また図９から明らかなように、上部分１９は、年輪形に形成される。
二つのスプリングアーム２１は、基礎部分２０から立ち上がり、内周側の上部分１９で共に合流する、スプリングアーム２１の上部分１９側の二つの端部エリア２９は互いに反対側に配置され、上部分１９を支える。
図７、図８に示すスプリングエレメントの側面図から明らかなように、２つのスプリングアーム２１から形成されるスプリング本体２２は、上部分１９から下方へ、円錐形にテーパーが付けられた形となっている。
２つのスプリングアームの螺旋の捻れは各々３６０度である。これにより、スプリングアーム２１の上部分１９側の二つの端部エリア２９およびプリングアーム２１の基礎部分２０側の二つの端部エリア３０は、それぞれ、上部分１９および基礎部分２０において互いに反対側に配置される。
上述したスプリングエレメント１８の実施態様は、その適用分野の要求に合った形で各々設計することができる。
したがって、例えば、スプリングアーム２１の螺旋の捻れを３６０度以上又は３６０度以下にしても構わない。
【００４８】
また、スプリング本体２２は、２つよりさらに多くのスプリングアーム２１から形成してもよい。たとえば、３ないし４個のスプリングアームを連結した設計であてもよい。
図７〜図１１に示されているスプリングエレメント１８は、寸法を正確に表現しているものではない。上部分１９の年輪形状部の外形ＤＡは、ＤＡ≒11ｃｍが好ましい。勿論、適用分野により外径が異なることはいうまでもない。スプリングエレメント１８の高さ方向２７の長さＬＨは、ＬＨ≒５ｃｍが好ましい。適用分野により、ＬＨの値が3ｃｍ〜７ｃｍの範囲ということも当然
考えられる。
【００４９】
本発明に係るスプリングエレメント１８は、その寸法が小さいこと及び多方面の適用可能性が特徴である。該スプリングエレメントは、下記のような弾性基体として使用される。すなわち、椅子などの座るための家具、ベッドなどの横たわるための家具、乗用車や貨物自動車などの座席、ガーデンやキャンピングの備品、マッサージその他看護用の備品など等である。
前記スプリングエレメントは、容易に取り付け、取り外しができ、また対候性、耐腐食性があり、さらに水で容易に洗うことができる。
本発明の他の実施例として、スプリングエレメント１８を、例えば、図１３に示すように、上部側に配置されているトッププレート３２の支持面に結合する。
トッププレートへのスプリングエレメント１８のトーションプルーフな取り付のために、図示してない凹部が、輪状の上側部分１９の外周にあてがわれる。
トッププレート３２に取り付ける場合、トッププレートのスプリングエレメントに対応して形成された保持溝に、スプリングプレートを嵌合する。このようにして、トッププレート３２に対するスプリングエレメント１８の相対的な捻れを、防ぐことができる。本発明の別な実施例によれば、複数のスプリングエレメント１８を、１つの同じトッププレート３２に取り付けることができる。
スプリングエレメント１８は、好ましくは、所謂、差し込み(ＢＡＹＯＮＥＴ  ＣＡＴＣＨ)方式でトッププレート３２に接続される。この目的のために、上側部分１９は、長手方向に対し、異なる断面を持つよう形成されたスルーホール２４を備えている。図１０から明らかなように、トッププレート３２上に対応して形成されたが保持エレメント２３を、後ろから埋め込むことができように、スルーホール２４内に切り込み３１が形成されている。  
【００５０】
このようにして、スプリングエレメント１８とトッププレート３２との間に、何時でも取り外せるフォーストランスミッシヨン(力伝達)接続が構築することができる。
図１０から明らかなように、ラッチ手段部２６は、スルーホール２４エリアでかつ、上側部分１９のボトム側に備えられる。これらのラッチ手段部は、スルーホール２４に挿入される保持エッレメント２３をしっかり確保する。このことにより、スプリングエレメント１８とトッププレート３２との接続が、意図に反して外れることを防止できる。
補強リブ２５が、補強の目的で、上側部分１９のボトム側２８に設けられる。
模範的な図１１の実施例によれば、合計３個の補強リブが取り付けられている。
一方では、各スルーホール２４が補強リブ２５により囲まれており、他方では、補強リブ２５が、上側部分１９の外縁に備えられている。本発明の他の実施例によれば、スプリングエレメント１８は、例えば、図１３に示すような支持構造体に取り付けられる。
本発明の目的のため、前記支持構造体３３は、スプリングエレメント１８を取り付ける上でふさわしいものである。
【００５１】
上記の実施構造としては、ライイングサーフエースエレメント、軸組構造（フレームワーク）、スレート引きフレームなどが挙げられる。
スプリングエレメント１８は基本部分の前記支持構造体３３側に取り付けられる。この目的のため、前記基本部分２０は、例えば、ピン型のエクステンションに形成された、対応する接続エレメント３４のように設計される。
支持構造体３３は、ピン型エクステンションを挿入する凹部を備えている。
上記取り付けは、ピン型エクステンションが円形状基準から離れた断面を持つように形成されることにより、トーションプルーフに実現できる。
勿論、一方のスプリングエレメント１８と他方の支持構造体３３の間の別な接続方法も考えられるが、しかしながら、上記のような接続は以下のような利点がある。すなわち、容易な方法で取り付け、取り外しができ、組み立ておよび取り外しが楽であるという利点がえられる。さらに、もし望むなら、クリーニングの目的で、スプリングエレメント１８は支持構造体から分離できるように、この接続は取り外し可能となっている。支持構造体３３により一列および／又は対称的に保持された数複数のスプリングエレメント１８を取り付けるために、支持構造体が好ましくは用いられる。その後、スプリングエレメント１８は、最初に接続エレメントとして使われるエクステンションと共に、スリーブ状ボディ３６に挿入される。接続エレメント３４の側面には、図７に「筋かい」３７としてみられるような、補強リブが取り付けられる。
【００５２】
図１３から明らかなように、凹部３５およびスリーブ状ボディ３６は、接続エレメント３４（それに取り付けられている筋かい３７を含み、かつ筋かい３７に適応したスロット形状の広がりを有する）の断面と対応して形成される。
接続エレメント３４をスリーブ状ボディ３６に挿入するとき、該スリーブ状ボディが、接続エレメント３４の筋かい３７によって広がるので、結果として、スプリングエレメント１８と支持構造体間はしっかりと接続される。さらに、この設計は、次のことを明確に実現する。すなわち、スリーブ状ボディ３６を、接続エレメント３４および凹部３５の両方に、トーションプルーフで接続することができる。さらにその上、支持構造体３３にスプリングエレメント１８を位置安定的に取り付けるため、スリーブ状ボディは、凹部３５にプッシュインまたはプレスインで挿入できる弾性体で形成されることが好ましい。
この目的のため、スリーブ状ボディ３６は、凹部３５よりも僅かに大きい直径
寸法にする。その上、凹部３５とスリーブ状ボディ３６の幾何学的設計は、スプリングエレメント１８が通常の手動操作で取り付け、取り外しができるように、互いに合うかたちに形成される。従って、何の道具も必要としない。
スプリングエレメント１８とトッププレート３２から成るスプリングモジュールの分解図が図１３に示されている。さらに、図１３は、支持構造体３３へスプリングエレメント１８を取り付ける働きをする支持構造体３３とスリーブ状ボディ３６を示している。
図示していないが、典型的な実施例として、スプリングエレメント１８は、直接支持構造体３３に取り付けることもできる。この典型的な実施例によれば、スプリングエレメントの基本部分２０は、スプリングエレメント１８を支持構造体３３に固定するため、例えば、スクリューやリベットが固定手段として利用できるように、凹部や孔が設けられる。
上記設計は、例えば、「座わる」または「横たわる」という機能を持つ家具、特にガーデンやアウトドアの備品に適している。
上記の「座る」あるいは「横たわる」ための表面シートを形成するため、複数のスプリングエレメント１８が、例えば、プレート状の基体やスレートから成る基体の支持構造体３３上に密に配列される、前記スプリングエレメント１８は前記支持構造体３３に、スクリュー、リベットあるいはその他の方法で接続される。
本実施例によれば、プレーンな支持面を創り出すために、スプリングエレメント１８の配列は密となるので、スプリングエレメント１８の上側部分は、比較的小さな外径、例えば、5ｃｍに構成される。
スプリングエレメント１８は、成型品などの介在物を入れることなく、スプリングエレメント１８の上側部分１９に横たわる布で直接覆われる。
特に、アウトドア用に覆う布は、水で洗うことが出来ることが望ましい。
先に述べたような典型的な実施例では、「寝たり座ったりする」シートの表面は、特にアウトドアのアプリケーションに適した、容易に洗うことができ、また耐蝕性を有すようにつくられる。  さらに加えて、非常に軽く、それゆえ容易に持ち運びできる。
【００５３】
他の利点は、次のことである。すなわち、スプリングエレメント１８は、表面が換気性のある材料で覆われているので、長時間、座ったり、横になったりした場合の発汗を防止することができる。
本発明に係る他のスプリングモヂュールを図１２に示す。ここで示されたスプリングモヂュールは、二つのスプリングエレメント１８より成り、それらは互いに基礎部分側で接続されている。また、図１２に示された二つのスプリングエレメント１８の上側部分は、図１３のように、各々１つのトッププレート３２に接続される。
図１４、図１５は、隔離された位置にある本発明に係る受けエレメント３８を示している。図１４では、上から見た平面図で、また図１５では下から見た平面図で、それぞれ本発明に係る、受けエレメント３８を表している。
本発明に係る受けエレメント３８は、プラスチックから成り、ワンピースに形成される。本発明に係る受けエレメント３８は、プラスチック押し出し成型で製作されることが好ましい。
受けエレメント３８は、一方では、図１５から明らかなように、円形部分３９で形成され、他方では、表面部分４０がそれに取り付けられる。
図１５から明らかなように、円形部分３９は、マットレス、パッド等から離れた側にある受けエリア４５（その機能については後述する）を備えている。
受けエリア４５は、円形部分３９に取り付けられている円周状の鍔（カラー）６５（このカラーの機能も後述する）に囲まれている。
円形部分３９と２つの表面部分４０は、図１４から明らかなように、２つの補強リブ４１によって接続されている。
補強リブ４１が導入されている中央セクター４３は、円形部分３９内に設置されている。この実際の接続は、図１４，１５に示されている。
受けエレメント３８は、スルーホール４４を備えており、該スルーホールは、受けエレメントの上側に配置されているマットレス、パッド等の換気に役立つ。
上記のディシュスタイル（皿型）に形成されたプレート状の受けエレメント３８の構造は、その高い「寸法安定性」と「捻れこわさ」（トーションスチフネス）耐曲げおよび／又は捻れ伸張性に特徴がある。
マットレス、パッドその他同様に用いられるものに面する側の表面部分４０は、補強リブ４２を備えている。これらのリブは、受けエレメント３８のさらなる安定性に役立つのみならず、リブ４２は、また、受けエレメント３８上のマットレス、パッド等の相対的に安全な位置決めを確実にしてくれる。これらのリブ４２は、一方のマットレス、パッド等と他方の受けエレメント３８との間の望まない変位を防ぐ助けになるからである。
本発明によれば、受けエレメント３８は、例えば、スプリング弾性エレメントの形で図１６，１７に示めされるように、キャリアエレメント４６に交換可能に取り付けられる。この目的のために、受けエレメント３８は、前記した受けエリア４５をキャリアエレメント側に有するのである。組み立てると、この受けエリア４５は、対応するキャリアエレメント４６の形成部分に適合する形となる。
受けエレメント３８をキャリアエレメント４６に変位なく取り付ける目的で、受けエリア４５は、円周形のカラー(鍔)で囲まれており、該カラーは、一方の受けエレメント３８と他方のキャリアエレメント４６との間の相対的変位を防止する。キャリアエレメント４６上に受けエレメントをトーションプルーフに取り付けるために、図には明確に示していないが、受けエレメント３８にラッチ手段を講ずることが可能である。さらにまた、トーションプルーフに取り付ける目的で、受けエレメント３８とキャリアエレメント４６は、スクリューで一体に接続することができる。図１７の実施例に示すように、組み立てたとき、受けエレメント３８とキャリアエレメント４６は、支持エレメント５６を形作る。受けエレメント３８とキャリアエレメント４６から成る支持エレメント５６は、支持構造体50上に配置されているのが解る。この配置は、交換可能に設計されている。すなわち、必要に応じ、支持エレメント５６は支持構造体50からきり離し、また受けエレメント３８はキャリアエレメント４６からきり離すことができる
受けエレメント３８と支持構造体５０上のキャリアエレメント４６から成る支持エレメント５６の取り付けは、好ましくは、接続エレメント５２を挿入することにより実現する。この接続エレメント５２は、図１６から明らかなように、熱可塑性プラスチックから作られ、プラグ状に形成されることが好ましい。
また、図１６から明らかなように、例えば、スプリングエレメントとして設計されている、キャリアエレメント４６は、スプリング本体４７、基礎部４８、基礎部４８に取り付けられたピン４９から形成される。
既に述べたように、接続エレメント５２は、プラグ状に形成され、基礎本体５３とそれに取り付けられている円形状リム（縁）５４より成る。
支持構造体５０へ交換可能にキャリアエレメント４６を取り付ける目的で、接続エレメント５２は、支持構造体５０に対応するように形成された孔５１に、交換可能に挿入する。接続エレメント５２のリム５４は、図１６から明らかなように、支持構造体５０に接続エレメント５２を支持する役割をする。
一方、接続エレメントは孔５５を備え、キャリアエレメント４６のピン４９が、できれば交換可能に、該孔５５に挿入される。
キャリアエレメント４６を支持構造体５０にトーションプルーフに取り付けることを確実にするため、接続エレメント５２は、トーションプルーフな方法で、キャリアエレメント４６および支持構造体５０の双方に取り付けられる。
【００５４】
図１６に示す実施例では、キャリアエレメント４６は、螺旋状スプリング本体４７と基礎部４８、および基礎部４８に取り付けられたピン４９から成るスプリング弾性体エレメントとして形成され、前記ピン４９は、接続エレメント５２の対応する孔５５に挿入される。組み立て条件として、キャリアエレメント４６の基礎部分４８は、図１６に示すように、接続エレメント５２に対し、それ自体で支持するように取り付ける。
既に上述したように、受けエレメントは、押し出し成型された部品で形成されたエレメントルから構成されることが望ましい。
受けエレメント３８をキャリアエレメント４６に取り付けるため、受けエレメント３８は、キャリアエレメント４６に面する側に受けエリア４５を備えている。            
前記受けエリア４５の寸法に関しては、スプリング本体４７の連続した螺旋体を完全に収容できる大きさとする。このようにすれば、一定の力で、受けエレメント３８からキャリアエレメント４６へと導入することが確実にできる。
受けエレメント３８をキャリアエレメント４６に固定するため、受けエリア４５は、図示しない接続手段を備えることができる。
前記接続手段は、受けエレメント３８をキャリアエレメント４６に交換可能に接続できるように形成され手成る。
支持構造体５０上に接続エレメント５２を取り付ける、という上述した具体例を(その他も含まれているが)、図１７に示す。支持構造体の上部表面に配置されている接続エレメント５２のリムがはっきり見える。
さらに、キャリアエレメント４６は、接続エレメント５２に、図１７には示されていないピン４９により、先ず、挿入される。
図１７，１８は、受けエレメント３８にあてがわれるキャリアエレメント４６を示しており、該キャリアエレメントは最終的に支持構造体５０に取り付けられる。たとえば、図１９、図２０に示されるように、ベッドの表面（ライングサーフエース）を形成するよう設計される支持構造体５０には、そのサイズにより、受けエレメント３８にあてがわれるキャリアエレメント４６が複数個配置される。
その際、キャリアエレメント４６は、支持構造体の上に列をなして配置されることが好ましい。
前記配置の典型的な実施例を図１９および２０に示す。たとえば、ベッド（ライングサーフェース）に用いられる支持構造体５０が、これらの図から見てとれる。
ライイングサーフェース(寝床面)は、自明なことなので図示しないが、特に、病床および／又は看護ベッドの骨組み構造に適合される。
実施例として、ここに示された支持構造体５０は、足部分域５７、頭部分域５８、脚部分域５９、骨盤部分域６０から成り、個々の部分域５７，５８，５９，６０は、実施例の頭部分域５８に示すように、互いに対応するジョイント部６１，６２，６３を備えている。これにより、前記各部分域は、相対的にピボット状(軸回転可能)に配列されている。なお、前記頭部セクション５８は、他との比較において、少し直立している。
前記各セクション５７，５８，５９、６０は、マットレス側に取り付けられた支持エレメント５６を備えている。前記各支持エレメント５６は、受けエレメント３８とキャリアエレメント４６を持つ。
それら全体の中で、受けエレメント３８は、共通支持表面６４を形作るように、接近して、配置される。図２０の外観図に示すように、受けエレメント、例えば、受けエレメント３８をキャリーするキャリアエレメント４６は、好ましくは、長手方向および横断方向の両方向に整列配置される。
【００５５】
さらに、図１９から以下のことが明らかである。本発明の実施例によれば、頭部セクション５８のエリアでは、他のセクション５７、５９、６０とは、異なり、各受けエレメント３８は２個のキャリアエレメントにより支持される。
図２１〜図２７は本発明に係るコネクタ６６の好ましい実施例である。
図２８，２９は、機能エレメント７９の取り付け方法を示す。該機能エレメント７９は、スレートフレームまたは平板状基板として設計されたか基盤７８上のスプリングエレメントとして提供される。
図において、同じエレメントには同一の番号を付けている。図２１〜図２９で表現されている尺度は実際とは異なり、また、機能エレメント７９としてのスプリングエレメントの使用法は単なる例であり、本発明をこれに限定するものでないことは言うまでもない。
【００５６】
図２１は、本発明に係るコネクタ６６を示す斜視図である。
コネクタ６６はプラグ状部分６７を形成し、そこの高さ方向７７の上端にカラー（鍔）６８が形成されている。一方、カラー６８は、円形のシーリングリップ６９にあてがわれており、それは、コネクタ６６が取り付けられる時に、図２８に一例を示すように、基盤７８の上側に配置される。
プラグ状部分６７には二つの補強リブ７５があてがわれ、それらは、プラグ状部分６７の外円側に取り付けられて、外方向へ放射上に伸張する。
カラー６８の拡大断面図を図２７に示す。図から明らかなように、外円側のカラー６８は、コネクタ６６が組み立てられる時に、上述した方法で基盤７８の上側に配置されたシーリングリップ６９を包含している。
さらに、図２７から明らかなように、カラー６８は、基盤７８の反対側に配置されたシーリング襞７０を有している。シーリングリップ６９とシーリング襞７０は、機能エレメント７９と基盤７８の間にいかなる液体も侵入しないようにする。このような設計は、不本意な液体の漏れを防止するのみでなく、基盤７８、コネクタ６６、機能エレメント７９等を水で洗う際、使用する水が該基盤の底に達することなく洗浄できるという利点もある。
基盤７８上に機能エレメント７９を取り付けるために、コネクタ６６を、基盤７８に設けられた凹部８２に先ず挿入しなければならない。この目的のために、
凹部８２とプラグ状部分６７とは、各々の対応する断面が互いに対になっている。
プラグ状部分６７に配置された補強リブは、一方では、前記プラグ状部分をトーションプルーフな方法で基盤７８に取り付けるのに役立ち、他方では、プラグ状部分曲げと捻れ張力の両方に抗する補強力を与える。これにより、基盤７８に設けられた凹部８２にコネクタ６６を正確に挿入することが容易にできる。
機能エレメント７９は、コネクタ６６の面する側に、接続エレメント８０を備えている。この接続エレメント８０はコネクタの凹部７１に挿入される。
その結果、正確な位置決めの下で、機能エレメント７９を、基盤７８に安全に取り付けることができる。
【００５７】
この目的のために、凹部７１は、第１の部分７２と二つの第２の部分７３とを備え、前記第１の部分の形状は実質的に円形であり、他方、二つの第２の部分７３はスロット状に形成されている。組み立てに際しては、接続エレメント８０上に形成された広がり部に上記二つの部分７２が結合される。これにより、機能エレメント７９をコネクタ６６に、トーションプルーフに取り付けることができるのである。さらに、接続エレメント８０がコネクタ６６の凹部７１に挿入したらすぐ、コネクタ６６は、接続エレメント８０の拡張により、押し込まれる。
この押し込み（ｐｕｓｓｉｎｇ−ｓｐｓｒｔ）の作用で、プラグ状部分６７の補強リブが外方向に圧力を受け、それにより、基盤７８に設けられた凹部８２内で、プラグ状部分６７が確実に保持できるのである。それゆえ、補強リブ７５は、次の三つの機能をもたらしてくれる。（１）プラグ状部分６７を補強する。（２）基盤７８に設けられた凹部８２内で、プラグ状部分６７の取り付けをトーションプルーフにできる。（３）押し込み機能により、基盤７８に設けられた凹部８２内で、プラグ状部分６７が確実に保持できる。
カラー６８の対向端に、プラグ部分６７は、例えば、円形胴体状に形成された、ラッチ部７４を備えている。コネクタ６６を取り付ける時、図２９から明らかなように、ラッチ部７４は基盤７８の底に配置される。このような配置により、コネクタ６６が、基盤７８に設けられた凹部から、不本意に移動することを防止できる。
【００５８】
取り外しの目的から、ラッチ部７４を支えるプラグ状部分６７の端部は、容易に加圧でき、前記凹部８２から抜き取ることができる。ラッチ部７４の幾何学的寸法と、プラグ状部分６７の物質的特性とは互いに適合し、プラグ状部分６７は、何ら道具を使うことなく、単に指先の力のみで加圧することができる。
さらに、図２９から明らかなように、プラグ状部分６７は、カラー６８の対向端に円形状の溝７６が設けられている。取り付ける際は、前記溝７６を接続エレメント８０に形成された切り欠き部８１に付ける。その結果、機能エレメント７９を、コネクタ６６に、安定した位置でとりつけ固定できる。機能エレメント７９は、それ故、コネクタ６６から、不本意に外れることがなく、機能エレメント７９を、基盤７８に全体として安定位置でしっかり固定できる。
図２８，２９に示す、典型的な実施例に従えば、機能エレメント７９は、スプリングエレメントとして、設計される。図２８は、スプリングエレメントのスプリングアームの部分断面を示している。基盤７８は、できれば、深く曲がる寝床面（ディープ  ドラウン  ライイング  サーフェース）として形成されるプラスチックから成る支持構造体であることが、好ましい。コネクタ６６は、弾性材料できればプラスチックからなることが望ましい。
【００５９】
基盤７８の機能エレメントとして設計されたスプリングエレメントを取り付けるために、先ず、図２１〜２７に示すコネクタ６６が基盤７８の凹部８２に挿入される。高さ方向７７に、プラグ状部分６７は例えば、２〜６ｃｍ好ましくは5ｃｍの広がりを持っている。長手方向の広がりの正確な寸法は、それぞれ図２８に示すように、高さ方向７７における基盤７８の厚さ、および前記凹部８２により作られるドームの厚さに依存する。重要なことは次のことである。すなわち、一方では、ラッチ部７４基盤７８のボトム側にロック方式で配置するために、他方では、基盤７８の上側に施されるシーリング方式における、シーリングリップおよびシーリングひだを有するカラー６８のために、プラグ状部分６７は高さ方向７７における長手方向の広がりを持つということである。
コネクタ６６を基盤７８の凹部８２に挿入するとき、スプリングエレメントとして設計されている機能エレメント７９はコネクタ６６に挿入される。この目的のため、機能エレメント７９のコネクタ側に取り付けられたピン状エクステンション形状を有する接続エレメントがコネクタ６６の凹部７１に挿入される。その結果、接続エレメント８０をコネクタ６６の凹部７１に挿入した結果として、コネクタ６６は、僅かに押し広げられる。その結果として、補強リブ７５は基盤７８の凹部の円周側に加圧される。さらにまた、図２１，２２に示すように、補強リブはくさび状に形成することもできる。
ソファーやベッドなど表面積が大きな家具について、弾力的な支持層を形成するためには、スプリングエレメントとして設計された複数の機能的エレメント７９を基盤７８に配置すればよい。
【００６０】
基盤７８は複数の凹部８２を備え、該凹部８２へ本発明に係るコネクタ６６を挿入することにより、スプリングエレメントを配置するという目的を達成できる。
図３０は、本発明に係るデバイスの１実施例を示す。
パッディング、シッティングおよび／又はライイング家具のパッド(緩衝材)を提供するための本発明に係るデバイス８３は、隣接して配置された複数の支持エレメントから成る。支持エレメント８４を横断方向102互いにずらして配列するために、後述するように、各支持エレメント８４のパッドリセプタクル８６は、環状に形成され、また外側は6辺形の輪郭をもつ。
長手方向１０１には、支持エレメント８４は、少しのずれもなく配列される。
しかしながら、個々の支持エレメント８４の、ずらし配置は、長手方向１０１でもまた可能である。例えば、環状パッドリセプタクルの外側輪郭を6角以上にすればよく、何角形でも自由にデザイン可能である。
【００６１】
本発明に係るデバイスの他の典型的な実施例を図３１に示す。ここでもまた、本発明に係るデバイスは、互いにずらして配置された複数の支持エレメント８４から形成される。図30に示した実施例との対比において、図31に示されている支持エレメントは互いに相対的にスペースを空けて配置されている。該スペースの大きさは実施の形態により定めらことができる。
本発明に係る、デバイスであって、図３０，３１に示す実施例に適用可能な支持エレメント８４の第１の具体例を図３２に示す。該エレメント８４は一方では、スプリングエレメント８５を備え、他方ではパッドレセプタクル８６を備えている。ところで、スプリングエレメント８５は、基礎部分８９から螺旋状に広がる、2つのスプリングアーム８７，８８から形成されている。
基礎部分８９の反対側に位置するパッドレセプタクル８６はスプリングアーム８７および８８、すなわち、スプリングエレメント８５上に配置される。
図３２の実施例によれば、支持エレメント８４はワンピースで形成される。すなわち、スプリングエレメント８５はパッドレセプタクル８６と一緒に、ワンピースコンポーネントとして形成する。図３２から解るように、また既に、図３１，３２で説明したように、パッドレセプタクル８６は、環状に形成され、外側は６角形の輪郭をもつ。他の実施例を図３３に示す。そこには、図３２，３３と対比して、五角形の輪郭をもつパッドレセプタクルを備えた支持エレメント８４が示されている。他の見地から、図３３に示す支持エレメント８４は図３２に示す支持エレメント８４と対応している。
図３２，３３に示すように、支持エレメント８４は、好ましくは、デバイス８３を作るために、図４２に示すように(詳細は下記に述べるが)端部を揃えて、互いに連結される。
図３２，３３に示すように、支持エレメント８４は、押し出し成型されたプラスチックでワンピースに形成される。プラスチック成型は、耐腐食性に優れている。
図３４〜３８は、支持エレメント８４を種々の視点から見た外観図である。
図から明らかなように、支持エレメント８４は、一方において、スプリングエレメント８５から成り、他方においては、パッドレセプタクル８６から成る。
上記に対比的に述べたように、図３４〜３８に示す支持エレメント８４は、一体に形成されるのではなく、スプリングエレメント８５とパッドレセプタクル８６は、むしろ分離された部品として構成され、それらは必要に応じて連結される。上記の利点は、スプリングエレメント８５とパッドレセプタクル８６とを各々異なった材料で構成できることにある。しかしながら、スプリングエレメント８５およびパッドレセプタクル８６はプラスチックから成り、プラスチックの押し出し成型部分から形成される。
【００６２】
図３７に示す実施例から明らかなように、スプリングエレメント８５とパッドレセプタクル８６の上に形成される接続手段が、前期スプリングエレメント８５およびパッドレセプタクル８６に提供される。すなわち、図に示すように、スプリングエレメント８５のスプリングアーム８７および８８は、それぞれ、一端に形成されたアイ部９０，９１としてのレセプタクルを備えている。これらのアイ部９０，９１は、挿通孔９４，９５をそれぞれ有している。ピン９２、９３は、挿通孔９４，９５に対応して形成され、図４０から明らかなように、パッドレセプタクル８６のスプリングエレメント側に取り付けられる。
取り付けの際、これらのピン９２，９３は、スプリングエレメント８５の前記孔９４，９５に装着され、それにより、位置的に安定して、スプリングエレメント８５にパッドレセプタクル８６を取り付けることができる。パッドレセプタクル８６のピン９２および９３は、ハウジング状レセプタクル９６および９７によって、各々囲まれている。前記レセプタクルは、支持エレメントを取り付ける際に、スプリングエレメント８５に結合されているアイ部９０，９１をそれぞれ収容する。スプリングエレメント８５およびパッドレセプタクル８６の不本意な離脱を防ぐために、レセプタクル９６，９７は各々、ラッチ片９８，９９を有する。
支持エレメント８４を取り付ける際に、該ラッチ片９８，９９はスプリングエレメント８５と一体になっているアイ部９０，９１の背部に装着される。
ラッチ片９８，９９は、スプリング弾性体であり、それゆえ、パッドレセプタクル８６は、例えば洗浄や修理等、必要に応じ、一体となっているスプリングエレメントからそれぞれ引き離すことができる。
図３９，４０は、支持エレメント８４の他の実施例を示す。これらの実施例は、図３４〜３８に示した例と実質的に対応している。スプリングエレメント８５のスプリングアーム８７，８８用のパッドレセプタクル８６上に形成された支持表面６４は、レセプタクル９６，９７のエリアのみに形成される。先に述べた実施例との差は、支持表面１０３が連続的に形成されていないという点である。
上述した実施例は、共通して次のことを示している。すなわち、支持エレメント８４上のスプリングエレメント８５は、２つの螺旋状スプリングアーム８７と８８、すなわち、二つの螺旋状設計体を備えている。他の実施例も勿論可能であり、例えば、３〜４個の螺旋状体を備えてもよいことは言うまでもない。
また、支持エレメント８４は、上述の各実施例に共通して、プラスチックから成り、プラスチックの押し出し成型部分から形成されているスプリングエレメント８５および／又はパッドレセプタクルを備えている。
支持エレメントをもう一方の側、例えば、キャリアフレーム、キャリアプレート、支持フレーム、スレート等に取り付けるため、各支持エレメント８４は、ピン状のエクステンション１００を備えている。そして、該エクステンションはスプリングエレメント８５および反対側に配置されたパッドレセプタクル８６と一体に形成されることが望ましい。ピン状エクステンション１００の設計態様は、図３５，３６，３７，３９，４０に示す。これらの図に詳細が示されていない対向側は前記エクステンション１００に対応して形成された孔を備え、該孔に前記エクステンション１００を挿入することにより、支持エレメントを８４を安定した位置でしっかり取り付けることができる。トーションプルーフに取り付けるため、ピン状エクステンション１００は、その断面が円形から偏った形状となっている。
さらに、前記ピン状エクステンション１００が対向部に対応して設けられた孔から不本意に離脱することを防ぐため、ラッチ手段を講じてもよい。
【００６３】
本発明に係るデバイス８３の典型的な使用例、事務用椅子１０４を、図４１，４２に示す図４１から明らかなように、事務用椅子１０４は、座面１０５および背面１０６双方を支えるスタンド１０９を備えている。先に図面により説明した支持エレメント８４は座面１０５および背面１０６双方のパッド材料の詰め物として使われる。それによって、背もたれ面１０６の支持エレメント８４が本発明に係る第一のデバイスを形成し、座席面１０５の支持エレメント８４が本発明に係る第２のデバイスを形成する。
図４１の概略断面図から、座席面１０５と背もたれ面１０６双方の支持エレメント８４が、キャリアプレート１０７上にマウント（取り付け）されていることが明らかにわかる。前記キャリアプレート１０７は、それに取り付けられた支持エレメント８４を支持する。キャリアプレート１０７と支持エレメント８４を接続するために、キャリアプレート１０７は孔を備え、該孔に図示していない支持エレメント８４のピン状エクステンション１００を挿入する。他の実施例として、支持エレメントは、ねじ（スクリュー）、リベット、接着剤その他の方法でキャリアプレート１０７と一体化してもよい。本発明の唯一の特徴は、パッド材料１０８の詰め物として提供するという本発明に係るデバイス８３が、座席面１０５の支持エレメント８４と背もたれ面１０６の支持エレメント８４とを形成しているということにある。
図４１から明らかなように、本発明に係るデバイス８３によって、体積空間が、座席面１０５及び背もたれ面１０６とそれそれぞれ一体化されたパッド材料１０８の下に形成される。
前記体積空間が、パッド材料１０８の通気によい影響をもたらし、そのことが明らかに、特に長時間座っているときの座り心地を改善する。本発明に係るデバイス８３の他の特徴は、一体化された支持エレメント８４は、弾力特性を変えることのできるスプリングエレメント８５に形成することができる。
例えば、座席面１０５のスプリングエレメントは背もたれ面のスプリングエレメントより堅くできる。さらに、座席面１０５内と背もたれ面１０６内の弾性特性を変えても良い。このことは、たとえば、座席面１０５のデバイス８３の中央部分に配置された支持エレメント８４のスプリングエレメントを、デバイス８３の端部に配置された支持エレメントのスプリングエレメントより堅くすることにより、達成できる。
正しい位置に座ることができるように、座席面１０５にかかる負荷を変えることも考慮される。
キャリアプレート１０７上にスプリングエレメント８５を配置した例を、座席面１０５を上から見て描いた図４２に示す。図から解るように、支持エレメント８４のパッドレセプタクルは６角形の外輪郭を持っており、これによって、支持エレメント８４は、互いにずらして（千鳥状に）配列することができる。
図４２に支持エレメント１１０の使用例を示すが、デバイス８３の端を揃えるため、６角形のパッドレセプタクルの代わりに、５角形に形成されたパッドレサプタクルをエッジ側に挿入している。
【図面の簡単な説明】
【００６４】
【図１】図１は、本発明に係る、支持エレメントの斜視図である。
【図２】図２は、本発明に係る、支持エレメントの平面図である
【図３】図３は、本発明に係る、支持エレメントの分解図である
【図４】図４は、キャリアプレートに装着した接続エレメントの説明図である
【図５】図５は、キャリアプレートに装着した支持エレメントの側面図である
【図６】図６は、キャリアプレートに装着した支持エレメントの説明図である
【図７】図７は、スプリングエレメントの第１側面図である
【図８】図８は、スプリングエレメントの第２側面図である
【図９】図９は、スプリングエレメントの上から見た平面図である
【図１０】図１０は、スプリングエレメントの部分図である
【図１１】図１１は、スプリングエレメントの側面図である
【図１２】図１２は、スプリングモジュールの１実施図である
【図１３】図１３は、スプリングモジュールの第２実施例である
【図１４】図１４は、受けエレメントの上から見た平面図である
【図１５】図１５は、受けエレメントの下から見た平面図である
【図１６】図１６は、支持エレメントの分解図である
【図１７】図１７は、受けエレメントとを装着した支持エレメントの側面図である
【図１８】図１８は、支持エレメントを支持構造体に装着した説明図である
【図１９】図１９は、受けエレメントをベッドに装着した側面図である
【図２０】図２０は、図１９を上から見た部分図である
【図２１】図２１は、コネクタの説明図である
【図２２】図２２は、コネクタの第１の側面図である
【図２３】図２３は、コネクタの第２の側面図である
【図２４】図２４は、コネクタの上から見た平面図である
【図２５】図２５は、コネクタの第１断面図である
【図２６】図２６は、コネクタの第２断面図である
【図２７】図２７は、コネクタの図２６の一部拡大図である
【図２８】図２８は、機能エレメントの側面図である
【図２９】図２９は、図２８の一部拡大図である
【図３０】図３０は、デバイスの第１の応用例である
【図３１】図３１は、デバイスの第２の応用例である
【図３２】図３２は、支持エレメントの透し図である
【図３３】図３３は、支持エレメントの説明図である
【図３４】図３４は、支持エレメントの平面図である
【図３５】図３５は、支持エレメントの側面図である
【図３６】図３６は、支持エレメントの斜視図である
【図３７】図３７は、支持エレメントの説明図である
【図３８】図３８は、支持エレメントの説明図である
【図３９】図３９は、支持エレメントの説明図である
【図４０】図４０は、支持エレメントの説明図である
【図４１】図４１は、デバイスの応用例を示す説明図である
【図４２】図４２は、デバイスの応用例を示す説明図である
【国際調査報告】
2007511263.tif 000045
2007511263.tif 000046
2007511263.tif 000047
2007511263.tif 000048
2007511263.tif 000049
2007511263.tif 000050